(57)【要約】【課題】  通信状態を通知することができる無線通信システムを提供する。【解決手段】  無線通信システムの親機が通信状態に応じて実行するフィルタの選択処理は、サブ親機から送信された信号の電界強度を検出するステップ（Ｓ５０２）と、親機とサブ親機とが通信状態である場合に（ステップＳ５０４にてＹＥＳ）、ＬＥＤの点灯を指令するステップ（Ｓ５０６）と、電界強度が閾値Ａ以下である場合に（Ｓ５１０にてＹＥＳ）、フィルタをＯＮに設定するステップ（Ｓ５１２）と、電界強度が閾値Ｂ以上である場合に（Ｓ５１６にてＹＥＳ）、フィルタをＯＦＦに設定するステップ（Ｓ５１８）とを含む。上記処理は、親機とサブ親機とが通信状態でない場合に（ステップＳ５０４にてＮＯ）、ＬＥＤの消灯を指令するステップ（Ｓ５２０）とを含む。【選択図】        図５
2005236849.tif 000002
【特許請求の範囲】
【請求項１】
第１の通信装置と第２の通信装置とを備え、
前記第１の通信装置は、
前記第２の通信装置と無線通信するための通信手段と、
前記通信手段により受信される音声信号の電界強度を検出するための検出手段と、
前記音声信号をフィルタ処理して出力するためのフィルタ処理手段と、
前記フィルタ処理手段により出力された音声信号を音声に変換して出力するための音声出力手段と、
前記電界強度に基づいて、前記フィルタ処理手段の動作の切換を制御するための制御手段と、
前記電界強度に基づいて、前記第１の通信装置の状態を表示するための信号を生成する生成手段と、
前記生成された信号に基づいて、前記第１の通信装置の状態を表示するための表示手段とを含む、無線通信システム。
【請求項２】
前記検出手段は、前記電界強度を継続して検出し、
前記制御手段は、前記電界強度と予め定められた閾値との大小関係に基づいて、前記フィルタ処理手段の作動と停止との切換を制御するための動作制御手段を含み、
前記予め定められた閾値は、第１の閾値と、前記第１の閾値よりも大きな値である第２の閾値とを含み、
前記生成手段は、前記電界強度と前記第１の閾値と前記第２の閾値とに基づいて、前記フィルタ処理手段の作動の状態を表示するための信号を生成して出力するための信号生成手段を含む、請求項１に記載の無線通信システム。
【請求項３】
前記動作制御手段は、
前記電界強度が前記第１の閾値を下回る場合には、前記フィルタ処理手段を作動させ、前記電界強度が前記第２の閾値を上回るまで、前記フィルタ処理手段の作動を継続し、そして、
前記電界強度が前記第２の閾値を上回る場合には、前記フィルタ処理手段の作動を停止させ、前記電界強度が前記第１の閾値を下回るまで、前記フィルタ処理手段の作動の停止を継続し、
前記信号生成手段は、
前記電界強度が前記第１の閾値を下回る場合には、前記電界強度が前記第２の閾値を上回るまで、前記フィルタ処理手段が作動していることを表示するための信号を生成し、
前記電界強度が前記第２の閾値を上回る場合には、前記電界強度が前記第１の閾値を下回るまで、前記フィルタ処理手段が停止していることを表示するための信号を生成する、請求項２に記載の無線通信システム。
【請求項４】
前記第１の通信装置の状態は、前記第２の通信装置との無線通信の状態を含み、
前記生成手段は、前記第２の通信装置との無線通信が正常に行われているか否かを表示するための信号を生成する、請求項１に記載の無線通信システム。
【請求項５】
前記第１の通信装置の状態は、前記フィルタ処理手段の作動状態を含み、
前記生成手段は、前記フィルタ処理手段が作動しているか否かを表示するための信号を生成する、請求項１に記載の無線通信システム。
【請求項６】
前記生成手段は、前記電界強度の大きさを表示するための信号を生成する、請求項１に記載の無線通信システム。
【請求項７】
前記表示手段は、予め定められた色を発光するための発光手段を含み、
前記生成手段は、前記電界強度が予め定められた強度を上回る場合に、前記予め定められた色で前記発光手段に発光させるための信号を生成する、請求項１に記載の無線通信システム。
【請求項８】
前記第２の通信装置は、
少なくとも１種類以上のテスト音声データを記憶するための記憶手段と、
前記第１の通信装置に前記テスト音声データを送信するための送信手段とを含み、
前記第１の通信装置の前記通信手段は、前記テスト音声データを受信し、
前記検出手段は、前記テスト音声データに基づいて電界強度を検出し、
前記生成手段は、検出された前記電界強度に基づいて、前記通信状態を表示するための信号を生成する、請求項１に記載の無線通信システム。
【請求項９】
前記送信手段は、予め定められた時間ごとに、前記第１の通信装置に前記テスト音声データを送信する、請求項８に記載の無線通信システム。
【請求項１０】
前記通信手段は、前記第２の通信装置に前記テスト音声データの送信要求を送信し、
前記第２の通信装置の前記送信手段は、前記送信要求の受信に応答して、前記第１の通信装置に前記テスト音声データを送信する、請求項８に記載の無線通信システム。
【請求項１１】
第１の通信装置と、前記第１の通信装置と無線通信する第２の通信装置とを備え、
前記第１の通信装置は、
予め定められたデータである、画像信号の圧縮処理のための第１の基準データを記憶するための第１の記憶手段と、
前記第１の基準データに基づいて、前記圧縮処理を実行するための圧縮手段と、
前記第２の通信装置に、前記圧縮処理された画像信号を送信するための送信手段とを含み、
前記第２の通信装置は、
前記第１の通信装置から送信された信号を受信するための受信手段と、
前記受信された信号に基づいて、前記第１の通信装置との通信状態を検出するための検出手段と、
予め定められたデータである、前記画像信号の伸張処理のための少なくとも１つ以上の第２の基準データを記憶するための第２の記憶手段と、
前記通信状態に基づいて、前記第２の基準データから前記伸張処理に使用されるデータを選択するための選択手段と、
前記選択手段により選択されたデータに基づいて、前記画像信号を伸張するための伸張手段と、
前記検出された通信状態に基づいて、前記第２の通信装置の状態を表示するための信号を生成する生成手段と、
前記生成された信号に基づいて、前記第２の通信装置の状態を表示するための表示手段とを含む、無線通信システム。
【請求項１２】
前記第２の基準データは、前記画像信号の伸張処理のための量子化テーブルを含み、
前記検出手段は、前記受信された信号の電界強度を検出し、
前記選択手段は、前記検出された電界強度に基づいて、前記量子化テーブルを選択し、
前記生成手段は、前記選択された量子化テーブルに応じた信号を生成するための信号生成手段を含む、請求項１１に記載の無線通信システム。
【請求項１３】
前記第２の記憶手段は、予め定められた第１の圧縮率を含む第１の量子化テーブルと、前記第１の圧縮率よりも大きな第２の圧縮率を含む第２の量子化テーブルとを記憶し、
前記選択手段は、
前記電界強度が予め定められた値よりも大きい場合には、前記第１の量子化テーブルを選択し、そして、
前記電界強度が前記予め定められた値よりも小さい場合には、前記第２の量子化テーブルを選択し、
前記信号生成手段は、
前記第１の量子化テーブルが選択された場合には、前記第１の圧縮率が選択されていることを表わす信号を生成し、そして、
前記第２の量子化テーブルが選択された場合には、前記第２の圧縮率が選択されていることを表わす信号を生成する、請求項１２に記載の無線通信システム。
【請求項１４】
前記第２の基準データは、前記画像信号を圧縮するための量子化テーブルを含み、
前記検出手段は、前記受信された信号のビット誤り率を検出し、
前記選択手段は、前記検出されたビット誤り率に基づいて、前記量子化テーブルを選択し、
前記生成手段は、前記選択された量子化テーブルに応じた信号を生成するための信号生成手段を含む、請求項１１に記載の無線通信システム。
【請求項１５】
前記第２の記憶手段は、予め定められた第１の圧縮率を含む第１の量子化テーブルと、前記第１の圧縮率よりも大きな第２の圧縮率を含む第２の量子化テーブルとを記憶し、
前記選択手段は、
前記ビット誤り率が予め定められた値よりも小さい場合には、前記第１の量子化テーブルを選択し、そして、
前記ビット誤り率が前記予め定められた値よりも大きい場合には、前記第２の量子化テーブルを選択し、
前記信号生成手段は、
前記第１の量子化テーブルが選択された場合には、前記第１の圧縮率が選択されていることを表わすための信号を生成し、そして、
前記第２の量子化テーブルが選択された場合には、前記第２の圧縮率が選択されていることを表わすための信号を生成する、請求項１４に記載の無線通信システム。
【請求項１６】
前記第１の記憶手段は、少なくとも１種類以上のテスト画像データをさらに記憶し、
前記第１の通信装置は、外部からの入力に基づいて、前記テスト画像データの送信指示を検出するための手段をさらに含み、
前記送信手段は、前記送信指示に基づいて、前記第２の通信装置に前記テスト画像データを送信し、
前記第２の通信装置の前記検出手段は、前記テスト画像データに基づいて、前記第１の通信装置との通信状態を検出し、
前記生成手段は、前記検出された通信状態に基づいて、前記第１の通信装置の通信状態を表示するための信号を生成する、請求項１１に記載の無線通信システム。
【請求項１７】
前記送信手段は、予め定められた時間ごとに、前記第２の通信装置に前記テスト画像データを送信する、請求項１６に記載の無線通信システム。
【請求項１８】
前記第２の通信装置は、
前記テスト画像データの送信要求を生成するための手段と、
前記第１の通信装置に前記送信要求を送信するための手段とをさらに含み、
前記第１の通信装置の前記送信手段は、前記送信要求の受信に応答して、前記第２の通信装置に前記テスト画像データを送信する、請求項１６に記載の無線通信システム。
【発明の詳細な説明】
【技術分野】
【０００１】
本発明は通信システムに関し、特に、無線により音声および画像信号の通信を行なう無線通信システムに関する。
【背景技術】
【０００２】
従来、一戸建ての住宅あるいはマンション等において、来訪者を屋内で確認するための通信システムがある。この通信システムは、屋外に設置されて、来訪者を撮像するためのカメラ付きのドアホン子機と、ドアホン子機と応答するためのドアホン親機と、ドアホン親機と同様に使用されるドアホンサブ親機とを含む。ドアホン親機は、屋内に設置されて、ドアホン子機からの画像をモニタに表示し、音声をスピーカに出力する。ドアホンサブ親機は、ドアホン親機と別の場所に設置されて、ドアホン子機と通信することができる。このような通信システムでは、ドアホン子機とドアホン親機との間の通信、あるいは各親機との間の通信は有線回線により行なわれるため、設置場所を容易に変更することができない。そのため、このようなシステムを一度屋内に設置すると、利用場所がその設置場所に限られるという問題があった。
【０００３】
そこで、このような問題を解決するために、たとえば特開２０００−２２４３１６号公報（特許文献１）は、親機間において無線通信することができるモニタ付ワイヤレス通話システムを開示する。このシステムは、カメラ付きドアホン子機と、その子機と有線接続されたモニタ付きインターホン親機と、モニタ付きインターホン副親機とを含む。
【０００４】
特許文献１に開示された通話システムによると、モニタ付きインターホン親機は、ドアホン子機と有線回線により接続される一方、インターホン親機とインターホン副親機とは無線通信するため、インターホン副親機の設置場所を容易に変更することができる。
【特許文献１】特開２０００−２２４３１６号公報
【発明の開示】
【発明が解決しようとする課題】
【０００５】
しかしながら、たとえば特許文献１に開示された無線通信システムによると、インターホン副親機の場所によって、あるいは電子レンジその他の電子機器による電波の干渉等によって、通信状態が悪化する場合がある。その結果、転送レートが低下したり、ノイズの干渉により、音声信号や画像信号の品質が低下するという問題があった。
【０００６】
本発明は、上述の問題点を解決するためになされたものであって、その目的は、通信システムの設置時あるいは使用時において、ドアホン親機とドアホンサブ親機との間の通信状態が悪いことを使用者に通知して、通信システムの通信環境状況についての確認を容易にすることができる無線通信システムを提供することである。
【０００７】
本発明の他の目的は、常に良好な環境下で通信システムを保持することができ、画像信号あるいは映像信号の劣化を最小限に抑制し、信号の伝送を維持することができる無線通信システムを提供することである。
【課題を解決するための手段】
【０００８】
上記の課題を解決するために、この発明のある局面に従うと、無線通信システムは、第１の通信装置と第２の通信装置とを備える。第１の通信装置は、第２の通信装置と無線通信するための通信手段と、通信手段により受信される音声信号の電界強度を検出するための検出手段と、音声信号をフィルタ処理して出力するためのフィルタ処理手段と、フィルタ処理手段により出力された音声信号を音声に変換して出力するための音声出力手段と、電界強度に基づいて、フィルタ処理手段の動作の切換を制御するための制御手段と、電界強度に基づいて、第１の通信装置の状態を表示するための信号を生成する生成手段と、生成された信号に基づいて、第１の通信装置の状態を表示するための表示手段とを含む。
【０００９】
上記の構成を有する無線通信システムによると、第１の通信装置が第２の通信装置から音声信号を受信すると、検出手段がその信号の電界強度を検出する。制御手段は、その電界強度に基づいて（たとえば電界強度のレベルに応じて）、フィルタ処理手段（たとえば、ＬＰＦ（Low Pass Filter））の動作（たとえばフィルタ処理のＯＮあるいはＯＦＦ）を切り換える。たとえば、電界強度のレベルが予め定められた値よりも小さい場合には、制御手段はフィルタ処理手段を作動させる。一方、電界強度のレベルが予め定められた値よりも大きい場合には、制御手段はフィルタ処理手段の作動を停止させる。このようにすると、たとえば音声信号に高周波の雑音が含まれている場合には、その雑音はフィルタ処理手段の作動により除去されるため、音声出力手段は、第２の通信装置から受信した音声信号を明瞭に出力することができる。生成手段は、検出された電界強度に基づいて、通信装置間の通信状態を表示するための信号を生成する。表示手段は、その信号に基づいて、その状態を表示する。このようにすると、利用者はその表示により第１の通信装置と第２の通信装置とは正常に通信しているか否かを容易に認識することができる。その結果、利用者は、たとえば第１の通信装置と第２の通信装置とのいずれかの場所を変更したり、各通信装置の付近における他の電気機器の電源をＯＦＦにするなどの措置をとることにより、通信状態を回復することができる。これにより、通信可能な状態を維持することができる無線通信システムを提供することができる。
【００１０】
好ましくは、検出手段は、電界強度を継続して検出する。制御手段は、電界強度と予め定められた閾値との大小関係に基づいて、フィルタ処理手段の作動と停止との切換を制御するための動作制御手段を含む。予め定められた閾値は、第１の閾値と、第１の閾値よりも大きな値である第２の閾値とを含む。生成手段は、電界強度と第１の閾値と第２の閾値とに基づいて、フィルタ処理手段の作動の状態を表示するための信号を生成して出力するための信号生成手段を含む。
【００１１】
上記の構成を有する無線通信システムによると、表示手段は、第１の通信装置におけるフィルタ処理手段の動作の状態（たとえば、フィルタがＯＮであるかＯＦＦであるか）を表示するため、利用者は、第１の通信装置と第２の通信装置との間の通信状態を容易に認識することができる。
【００１２】
好ましくは、動作制御手段は、電界強度が第１の閾値を下回る場合には、フィルタ処理手段を作動させ、電界強度が第２の閾値を上回るまで、フィルタ処理手段の作動を継続し、そして、電界強度が第２の閾値を上回る場合には、フィルタ処理手段の作動を停止させ、電界強度が第１の閾値を下回るまで、フィルタ処理手段の作動の停止を継続する。信号生成手段は、電界強度が第１の閾値を下回る場合には、電界強度が第２の閾値を上回るまで、フィルタ処理手段が作動していることを表示するための信号を生成し、電界強度が第２の閾値を上回る場合には、電界強度が第１の閾値を下回るまで、フィルタ処理手段が停止していることを表示するための信号を生成する。
【００１３】
上記の構成を有する無線通信システムによると、表示手段は、電界強度が第１の閾値を下回る場合には、電界強度が第２の閾値を上回るまで、フィルタ処理手段が作動していることを表示する。一方、表示手段は、電界強度が第２の閾値を上回る場合には、電界強度が第１の閾値を下回るまで、フィルタ処理手段が停止していることを表示する。すなわち、表示手段は、フィルタ処理手段が動作しているか否かを別個に表示するため、利用者は、第１の通信装置と第２の通信装置との間の通信状態を容易に把握することができるため、いずれかの通信装置の場所を変更するなどの措置を速やかにとることができる。これにより、通信装置間の通信状態を容易に維持することができる。
【００１４】
好ましくは、第１の通信装置の状態は、第２の通信装置との無線通信の状態を含む。生成手段は、第２の通信装置との無線通信が正常に行われているか否かを表示するための信号を生成する。
【００１５】
上記の構成を有する無線通信システムによると、表示手段は、第２の通信装置との無線通信が正常に行われているか否かを表示するため、正常に行なわれていない表示がなされている場合には、いずれかの通信装置の設置場所を変更するなどの措置を速やかにとることができる。
【００１６】
好ましくは、第１の通信装置の状態は、フィルタ処理手段の作動状態を含む。生成手段は、フィルタ処理手段が作動しているか否かを表示するための信号を生成する。
【００１７】
上記の構成を有する無線通信システムによると、利用者は、フィルタ処理が実行されているか否かを容易に認識することができるため、通信装置の設置場所を変更する等の必要な措置をとり易くなる。
【００１８】
好ましくは、生成手段は、電界強度の大きさを表示するための信号を生成する。
【００１９】
上記の構成を有する無線通信システムによると、利用者は通信状態の電界強度の状態を認識することができるため、通信状態の改善のための措置がとり易くなる。
【００２０】
好ましくは、表示手段は、予め定められた色を発光するための発光手段を含む。生成手段は、電界強度が予め定められた強度を上回る場合に、予め定められた色で発光手段に発光させるための信号を生成する。
【００２１】
上記の構成を有する無線通信システムによると、通信状態が正常である場合に発光手段が発光するため、利用者は、無線通信システムにおける通信状態が正常であるか否かを容易に認識することができる。
【００２２】
好ましくは、第２の通信装置は、少なくとも１種類以上のテスト音声データを記憶するための記憶手段と、第１の通信装置にテスト音声データを送信するための送信手段とを含む。第１の通信装置の通信手段は、テスト音声データを受信する。検出手段は、テスト音声データに基づいて電界強度を検出する。生成手段は、検出された電界強度に基づいて、通信状態を表示するための信号を生成する。
【００２３】
上記の構成を有する無線通信システムによると、第１の通信装置は、第２の通信装置から送信されるテスト音声データに基づいて電界強度を検出し、表示手段は、その検出結果に応じた表示をする。このようにすると、利用者は、実際に通信する前に、無線通信システムにおける通信状態を把握して、必要な措置をとることができるため、安定した通信環境を確保することができる。
【００２４】
好ましくは、送信手段は、予め定められた時間ごとに、第１の通信装置にテスト音声データを送信する。
【００２５】
上記の構成を有する無線通信システムによると、テスト音声データに基づく通信状態の表示が定期的に行なわれるため、そのシステムにおける通信環境を随時把握して、通信環境を常に安定したものにすることができる。
【００２６】
好ましくは、通信手段は、第２の通信装置にテスト音声データの送信要求を送信する。第２の通信装置の送信手段は、送信要求の受信に応答して、第１の通信装置にテスト音声データを送信する。
【００２７】
上記の構成を有する無線通信システムによると、第１の通信装置からの送信要求を第２の通信装置に送信すると、第２の通信装置は第１の通信装置にテスト音声データを送信する。この送信要求は、たとえば予め定められた時刻になったとき、利用者による指示の入力に応じて送信される。このようにすると、必要に応じて無線通信システムの通信状態を把握することができるため、安定した通信環境を確保し易くなる。
【００２８】
この発明の他の局面に従うと、第１の通信装置と、第１の通信装置と無線通信する第２の通信装置とを備える。第１の通信装置は、予め定められたデータである、画像信号の圧縮処理のための第１の基準データを記憶するための第１の記憶手段と、第１の基準データに基づいて、圧縮処理を実行するための圧縮手段と、第２の通信装置に、圧縮処理された画像信号を送信するための送信手段とを含む。第２の通信装置は、第１の通信装置から送信された信号を受信するための受信手段と、受信された信号に基づいて、第１の通信装置との通信状態を検出するための検出手段と、予め定められたデータである、画像信号の伸張処理のための少なくとも１つ以上の第２の基準データを記憶するための第２の記憶手段と、通信状態に基づいて、第２の基準データから伸張処理に使用されるデータを選択するための選択手段と、選択手段により選択されたデータに基づいて、画像信号を伸張するための伸張手段と、検出された通信状態に基づいて、第２の通信装置の状態を表示するための信号を生成する生成手段と、生成された信号に基づいて、第２の通信装置の状態を表示するための表示手段とを含む。
【００２９】
上記の構成を有する無線通信システムによると、第１の通信装置が第２の通信装置に画像信号を圧縮して送信すると、第２の通信装置は、その信号を復元すると共に、第１の通信装置との通信状態（たとえば電界強度）を検出する。第２の通信装置の表示手段は、たとえば発光することにより、あるいは通信状態を数値に対応させてその数値で表わすことにより、通信状態を表示する。このようにすると、たとえば無線通信システムにおける電界強度その他の通信状態が良好でない場合には、利用者は、その表示に基づいて第２の通信装置の設置場所を変更したり、通信装置以外の電器の電源をＯＦＦにするなどの措置をとることができる。その結果、無線通信システムにおける通信環境が速やかに改善される。これにより、通信可能な状態を維持することができる無線通信システムを提供することができる。
【００３０】
好ましくは、第２の基準データは、画像信号の伸張処理のための量子化テーブルを含む。検出手段は、受信された信号の電界強度を検出する。選択手段は、検出された電界強度に基づいて、量子化テーブルを選択する。生成手段は、選択された量子化テーブルに応じた信号を生成するための信号生成手段を含む。
【００３１】
上記の構成を有する無線通信システムによると、表示手段は、画像信号の復元に使用された量子化テーブルに応じた表示を行う。利用者は、その表示に基づいて画像信号の通信状態を認識することができるため、通信環境の改善が必要であるか否かを容易に判断することができる。
【００３２】
好ましくは、第２の記憶手段は、予め定められた第１の圧縮率を含む第１の量子化テーブルと、第１の圧縮率よりも大きな第２の圧縮率を含む第２の量子化テーブルとを記憶する。選択手段は、電界強度が予め定められた値よりも大きい場合には、第１の量子化テーブルを選択し、そして、電界強度が予め定められた値よりも小さい場合には、第２の量子化テーブルを選択する。信号生成手段は、第１の量子化テーブルが選択された場合には、第１の圧縮率が選択されていることを表わす信号を生成し、そして、第２の量子化テーブルが選択された場合には、第２の圧縮率が選択されていることを表わす信号を生成する。
【００３３】
上記の構成を有する無線通信システムによると、表示手段は、第１の圧縮率あるいは第２の圧縮率のいずれかが選択されていることを表示するため、利用者は、画像信号の通信状態を容易に把握することができる。
【００３４】
好ましくは、第２の基準データは、画像信号を圧縮するための量子化テーブルを含む。検出手段は、受信された信号のビット誤り率を検出する。選択手段は、検出されたビット誤り率に基づいて、量子化テーブルを選択する。生成手段は、選択された量子化テーブルに応じた信号を生成するための信号生成手段を含む。
【００３５】
上記の構成を有する無線通信システムによると、表示手段は、ビット誤り率に基づく量子化テーブルの選択結果を表示するため、利用者は、ビット誤り率の観点から、画像信号の通信状態を把握することができる。
【００３６】
好ましくは、第２の記憶手段は、予め定められた第１の圧縮率を含む第１の量子化テーブルと、第１の圧縮率よりも大きな第２の圧縮率を含む第２の量子化テーブルとを記憶する。選択手段は、ビット誤り率が予め定められた値よりも小さい場合には、第１の量子化テーブルを選択し、そして、ビット誤り率が予め定められた値よりも大きい場合には、第２の量子化テーブルを選択する。信号生成手段は、第１の量子化テーブルが選択された場合には、第１の圧縮率が選択されていることを表わすための信号を生成し、そして、第２の量子化テーブルが選択された場合には、第２の圧縮率が選択されていることを表わすための信号を生成する。
【００３７】
上記の構成を有する無線通信システムによると、表示手段は、第１の圧縮率および第２の圧縮率のいずれが選択されているかを表示するため、利用者は、その表示に基づいて、第１の通信装置から第２の通信装置に対する画像信号の通信状態が良好であるか否かを確認することができる。このようにすると、第２の通信装置の設置場所の変更、他の電器の電源のＯＦＦその他の必要な措置を速やかにとることができるため、無線通信システムの通信状態を常に良好に維持することができる。
【００３８】
好ましくは、第１の記憶手段は、少なくとも１種類以上のテスト画像データをさらに記憶する。第１の通信装置は、外部からの入力に基づいて、テスト画像データの送信指示を検出するための手段をさらに含む。送信手段は、送信指示に基づいて、第２の通信装置にテスト画像データを送信する。第２の通信装置の検出手段は、テスト画像データに基づいて、第１の通信装置との通信状態を検出する。生成手段は、検出された通信状態に基づいて、第１の通信装置の通信状態を表示するための信号を生成する。
【００３９】
上記の構成を有する無線通信システムによると、利用者は、テスト画像データに基づいて第１の通信装置と第２の通信装置との間の通信状態を把握することができるため、実際に画像信号が送信される前に、通信状態の改善のために必要な措置をとることができる。
【００４０】
好ましくは、送信手段は、予め定められた時間ごとに、第２の通信装置にテスト画像データを送信する。
【００４１】
上記の構成を有する無線通信システムによると、表示手段はテスト画像データの送信結果に基づく状態を表示するため、利用者は、定期的に通信状態を確認することができる。このようにすると、利用者が通信環境を改善し易くなるため、無線通信システムの通信状態を常に良好に維持しやすくなる。
【００４２】
好ましくは、第２の通信装置は、テスト画像データの送信要求を生成するための手段と、第１の通信装置に送信要求を送信するための手段とをさらに含む。第１の通信装置の送信手段は、送信要求の受信に応答して、第２の通信装置にテスト画像データを送信する。
【００４３】
上記の構成を有する無線通信システムによると、利用者は、必要に応じて無線通信システムの通信状態を把握することができるため、安定した通信環境を確保し易くなる。
【発明の効果】
【００４４】
本発明に係る無線通信システムによると、通信システム設置時や使用時において、親機とサブ親機間の無線通信状態が悪いことを利用者に知らせることができる。その結果、利用者は、通信システムの通信環境状況を確認することが可能となり、適切な措置をとることで、常に良好な環境下で通信システムを保持することができる。これにより、画像及び音声信号の劣化を最小限に抑え、できるだけ信号の伝送を維持することができる無線通信システムを提供することができる。
【発明を実施するための最良の形態】
【００４５】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００４６】
＜第１の実施の形態＞
図１を参照して、本発明の第１の実施の形態に係る無線通信システムの構成について説明する。図１は、本実施の形態に係る無線通信システムに含まれる親機１００とサブ親機２００と子機１５０とを表わすブロック図である。親機１００とサブ親機２００との間の無線通信は、たとえばBluetooth規格のＳＣＯ（Synchronous Connection Oriented）リンクに基づいて行なわれるが、通信の態様はこれに限られない。親機１００と子機１５０との間の通信はたとえば有線通信であるが、通信の態様はこれに限られず、無線通信であってもよい。なお、本実施の形態に係る無線通信システムは、たとえば親機、子機等と称される複数の通信装置が戸外（たとえばドアの外側）と屋内とにそれぞれ設置されるテレビドアホンシステム、インターホンシステム等であるが、その他の態様であってもよい。
【００４７】
図１に示すように、親機１００は、親機マイク１０３と、親機スピーカ１０４と、親機音声入力セレクタ１０５と、親機音声出力セレクタ１０６と、親機Ａ／Ｄ（Analog to Digital）変換部１０７と、親機Ｄ／Ａ（Digital to Analog）変換部１０８と、親機音声圧縮部１０９と、親機音声伸張部１１０と、親機マイコン１１１と、親機フィルタ選択部１１２と、親機アンテナ１１９と、親機無線制御部１２０と、親機表示部１３７とを含む。
【００４８】
親機マイコン１１１は、メモリ１３０を含む。親機無線制御部１２０は、親機送信用信号処理部１１３と、親機受信用信号処理部１１４と、親機送信部１１５と、親機受信部１１６と、親機送受信切換スイッチ１１７と、親機電界強度検出部１１８とを含む。親機無線制御部１２０は、好ましくは、たとえばBluetoothベースバンドチップであるが、これに限られない。親機表示部１３７は、ＬＥＤ（Light Emitting Diode）その他の発光部を含む。
【００４９】
サブ親機２００は、サブ親機マイク２２１と、サブ親機スピーカ２２２と、サブ親機Ａ／Ｄ変換部２２３と、サブ親機Ｄ／Ａ変換部２２４と、サブ親機音声圧縮部２２５と、サブ親機音声伸張部２２６と、サブ親機マイコン２２７と、サブ親機フィルタ選択部２２８と、サブ親機アンテナ２３５と、サブ親機無線制御部２３６と、サブ親機表示部２３８とを含む。
【００５０】
サブ親機マイコン２２７は、メモリ２４０を含む。サブ親機無線制御部２３６は、サブ親機送信用信号処理部２２９と、サブ親機受信用信号処理部２３０と、サブ親機送信部２３１と、サブ親機受信部２３２と、サブ親機送受信切換スイッチ２３３と、サブ親機電界強度検出部２３４とを含む。サブ親機無線制御部２３６は、好ましくは、たとえばBluetoothベースバンドチップであるが、これに限られない。サブ親機表示部２３８は、ＬＥＤその他の発光部を含む。
【００５１】
子機１５０は、子機マイク１５３と、子機送信用信号処理部１５４と、子機受信用信号処理部１５５と、子機スピーカ１５６とを含む。
【００５２】
図１を再び参照して、親機１００における信号の流れについて説明する。親機マイク１０３は、発話された音声を音声信号に変換して出力する。出力された信号は、親機音声入力セレクタ１０５に入力される。また、子機１５０から送信される音声信号も、親機音声入力セレクタ１０５に入力される。親機音声入力セレクタ１０５は、親機マイコン１１１から出力される制御信号に基づいて、信号の入力経路を選択する。その結果、親機マイク１０３からの音声信号と子機１５０からの音声信号とのいずれかの信号が、親機音声入力セレクタ１０５から出力される。
【００５３】
親機音声入力セレクタ１０５から出力される信号は、Ａ／Ｄ変換部１０７に入力される。Ａ／Ｄ変換部１０７は、入力されたアナログ信号をデジタル信号に変換する。Ａ／Ｄ変換部１０７から出力される信号は、親機音声圧縮部１０９に入力される。親機音声圧縮部１０９は、所定の圧縮条件に基づいて入力信号を圧縮する。このときの圧縮処理の態様は、特に限られない。親機音声圧縮部１０９から出力される信号は、親機無線制御部１２０に入力される。
【００５４】
親機無線制御部１２０において、親機送信用信号処理部１１３は、誤り検出符号を入力信号に付加する。その後、親機送信用信号処理部１１３は、予め定められた条件に基づいて、暗号化処理とデータの白色化処理と誤り訂正符号化処理とを実行する。親機送信用信号処理部１１３から出力される信号は、親機送信部１１５に入力される。親機送信部１１５は、入力信号を変調して、送信用の信号を生成する。生成された信号は、親機送受信切換スイッチ１１７を介して親機アンテナ１１９に出力され、さらに無線送信される。
【００５５】
一方、親機１００において、親機アンテナ１１９が受信した信号は、親機送受信切換スイッチ１１７を介して、親機受信部１１６と親機電界強度検出部１１８とに入力される。親機受信部１１６は、受信信号を復調する。親機電界強度検出部１１８は、受信信号の電界強度を検出する。電界強度は、たとえばＲＳＳＩ（Received Signal Strength Indicator）値として表わされる。この検出結果は、親機マイコン１１１に入力される。
【００５６】
親機受信部１１６から出力される信号は、親機受信用信号処理部１１４に入力される。親機受信用信号処理部１１４は、入力信号に対して、誤り訂正、逆白色化、誤り検出、その他の処理を実行する。
【００５７】
親機受信用信号処理部１１４から出力される信号は、親機フィルタ選択部１１２に入力される。親機フィルタ選択部１１２は、入力信号を選択的に通過するように、親機マイコン１１１により選択されたフィルタ処理を実行する。これにより、親機フィルタ選択部１１２は、所定の周波数を下回る音声信号を出力したり、所定の周波数を上回る音声信号を出力したり、あるいは特定の周波数域に含まれる音声信号を出力したりすることができる。
【００５８】
親機マイコン１１１は、親機無線制御部１２０との間で、予め定められた処理のための通信を行なう。この処理には、たとえば親機１００とサブ親機２００との通信における送信と受信とを切り替える処理が含まれる。親機マイコン１１１は、電界強度検出部１１８から出力された信号に基づいて、フィルタ処理を選択する。この信号は、上記したように、電界強度の検出結果を含む。親機マイコン１１１は、切換信号を親機音声出力セレクタ１０６に送信することにより、親機音声入力セレクタ１０５における信号の入力源、あるいは親機音声出力セレクタ１０６における信号の出力先を切り換える。
【００５９】
親機マイコン１１１は、さらに、親機電界強度検出部１１８から出力される電界強度に基づいて、通信状態を表示するための信号を生成する。この信号は、親機マイコン１１１から親機表示部１３７に伝送される。この信号は、たとえば親機表示部１３７が有するＬＥＤを発光させるための指令信号、あるいは電界強度の大きさに対応する指示電圧等を含む。
【００６０】
親機フィルタ選択部１１２から出力される信号は、親機音声伸張部１１０に入力される。親機音声伸張部１１０は、所定の信号処理が可能になるように、予め設定された伸張条件に基づいて入力信号を伸張する。親機音声伸張部１１０から出力される信号は、親機Ｄ／Ａ変換部１０８に入力される。親機Ｄ／Ａ変換部１０８は、デジタル信号をアナログ信号に変換する。親機Ｄ／Ａ変換部１０８から出力される信号は、親機音声出力セレクタ１０６に入力される。親機音声出力セレクタ１０６は、親機マイコン１１１からの制御信号に基づいて、親機スピーカ１０４と子機１５０とのいずれかに対して、音声信号を選択的に出力する。なお、この制御信号は、たとえば親機１００が利用者の操作を受け付けるためのボタン（図示しない）の押下、あるいはサブ親機２００から送信された情報に含まれる切り替え制御信号等に基づいて、信号の出力先を切り替えるための信号を含む。
【００６１】
図１を再び参照して、サブ親機２００における信号の流れについて説明する。サブ親機マイク２２１は、発話された音声を音声信号に変換して、サブ親機Ａ／Ｄ変換部２２３に出力する。サブ親機Ａ／Ｄ変換部２２３は、アナログの音声信号をデジタルの音声信号に変換する。サブ親機Ａ／Ｄ変換部２２３から出力される信号は、サブ親機音声圧縮部２２５に入力される。サブ親機音声圧縮部２２５は、予め設定された圧縮率に基づいて、音声信号を圧縮する。サブ親機音声圧縮部２２５から出力される信号は、サブ親機無線制御部２３６に入力される。
【００６２】
サブ親機無線制御部２３６において、サブ親機送信用信号処理部２２９は、所定の誤り検出符号を入力信号に付加する。サブ親機送信用信号処理部２２９はさらに、暗号化処理、データの白色化処理、あるいは誤り訂正符号化処理等を実行する。サブ親機送信用信号処理部２２９から出力される信号は、サブ親機送信部２３１に入力される。サブ親機送信部２３１は、入力信号を変調することにより、送信用の信号を生成する。サブ親機送信部２３１から出力される信号は、サブ親機送受信切換スイッチ２３３を介してサブ親機アンテナ２３５に出力され、無線送信される。
【００６３】
一方、サブ親機２００のサブ親機無線アンテナ２３５が受信した無線信号は、サブ親機送受信切換スイッチ２３３を介して、サブ親機受信部２３２とサブ親機電界強度検出部２３４とに入力される。サブ親機受信部２３２は、入力信号を復調する。サブ親機電界強度検出部２３４は、受信信号の電界強度を検出する。この検出結果は、サブ親機マイコン２２７に入力される。
【００６４】
サブ親機マイコン２２７は、これらの結果に基づいて、通信状態を表示するための信号を生成する。この信号は、サブ親機マイコン２２７からサブ親機表示部２３８に伝送される。この信号は、たとえばサブ親機表示部２３８が有するＬＥＤを発光させるための指令信号、あるいは電界強度の大きさに対応する指示電圧等を含む。
【００６５】
サブ親機受信部２３２から出力される信号は、サブ親機受信用信号処理部２３０に入力される。サブ親機受信用信号処理部２３０は、入力信号に対して、誤り訂正処理、逆白色化処理、暗号解読処理、あるいは誤り検出処理等を実行する。サブ親機受信用信号処理部２３０から出力される信号は、サブ親機フィルタ選択部２２８に入力される。
【００６６】
サブ親機フィルタ選択部２２８は、サブ親機マイコン２２７からの制御信号に基づいて、選択されたフィルタ処理を実行して、特定の音声信号を出力する。サブ親機フィルタ選択部２２８から出力される信号は、サブ親機音声伸張部２２６に入力される。サブ親機音声伸張部２２６は、予め定められた伸張処理の設定に基づいて、入力信号を伸張する。これにより、圧縮されていた信号は、復元される。
【００６７】
サブ親機音声伸張部２２６から出力される信号は、サブ親機Ｄ／Ａ変換部２２４に入力される。サブ親機Ｄ／Ａ変換部２２４は、デジタルの音声信号をアナログの音声信号に変換する。サブ親機Ｄ／Ａ変換部２２４から出力される信号は、サブ親機スピーカ２２２に入力される。その結果、サブ親機スピーカ２２２は、サブ親機２００が無線により受信した信号を出力することができる。
【００６８】
図１を再び参照して、子機マイク１５３から出力される音声信号は、子機送信用信号処理部１５４に入力される。子機送信用信号処理部１５４は、入力信号を変換して送信信号を生成する。子機送信用信号処理部１５４から出力される送信信号は、通信回線を介して親機１００の親機音声入力セレクタ１０５に入力される。
【００６９】
一方、親機１００の親機音声出力セレクタ１０６から出力される信号は、子機受信用信号処理部１５５に入力される。子機受信用信号処理部１５５は、入力信号を変換して、子機スピーカ１５６に出力する。これにより、子機スピーカ１５６は、親機１００からの音声信号を出力することができる。
【００７０】
図２を参照して、本実施の形態に係る親機１００が使用するフィルタの特性について説明する。図２（Ａ)および（Ｂ）は、所定の閾値に対して受信信号の電界強度の推移を表わすタイミングチャートである。なお、親機１００が使用するフィルタは、サブ親機２００においても同様に使用可能である。したがって、ここでは、親機１００が使用するフィルタの特性について説明し、サブ親機２００のフィルタに関する説明は、繰り返さない。
【００７１】
図２（Ａ）を参照して、フィルタのＯＮおよびＯＦＦを切り換えるための基準となる閾値が１つである場合、電界強度が閾値を上回ったり下回ったりするごとに、フィルタの動作が切り換えられる。したがって、たとえば電波強度が不安定な状態が長時間継続すると、フィルタがＯＮになったり、ＯＦＦになったりする場合が生じ得る。この場合は、出力される音声が聞きづらくなる場合がある。
【００７２】
その一方、図２（Ｂ）を参照して、フィルタのＯＮおよびＯＦＦを切り換えるための基準となる閾値が２つ（すなわち、閾値ＡとＢ）である場合、電界強度は、これらの閾値の間を推移する間は、フィルタの設定が変化しない。閾値Ａと閾値Ｂとは、予め定められたフィルタのＯＮおよびＯＦＦを選択するための値である。これらの値は、たとえば、親機マイコン１１１が有するメモリ１３０に予め記憶されている。
【００７３】
図２（Ｂ）に示すように、親機フィルタ選択部１１２は、初期状態ではフィルタをＯＦＦに設定する（時刻ｔ（０））。その後、電界強度が検出され、その値が閾値Ａを下回ると（時刻ｔ（１））、親機フィルタ選択部１１２は、フィルタ動作をＯＮに設定する。これにより、予め定められた周波数よりも低い周波数が通過可能となり、逆に所定の周波数よりも高い周波数はカットされる。その結果、高周波数ノイズが削除される。
【００７４】
その後、受信信号の電界強度が継続して検出され、その値が閾値Ｂを上回ると（時刻ｔ（２））、親機フィルタ選択部１１２は、フィルタ動作をＯＦＦに設定する。これにより、親機フィルタ選択部１１２は予め定められたフィルタ動作を実行しなくなるため、受信された信号は、フィルタ処理を受けることなく親機音声伸張部１１０に出力される。このようにすると、電界強度の変動があっても、フィルタのＯＮ／ＯＦＦの設定が頻繁に切り換わらなくなる。その結果、２つの閾値に基づいて受信信号をフィルタ処理を実行した方が、１つの閾値に基づいてフィルタ処理を実行する場合よりも、音声信号を明瞭に出力することができる。
【００７５】
なお、上記したように、本実施の形態に係るサブ親機２００は、サブ親機フィルタ選択部２２８を含む。このサブ親機フィルタ選択部２２８は、前述の親機フィルタ選択部１１２の有する特性と同一の動作特性を有する。したがって、サブ親機フィルタ選択部２２８の特性についての説明は、繰り返さない。
【００７６】
図３を参照して、本実施の形態に係る親機１００におけるデータ構造について説明する。図３は、親機１００のメモリ１３０におけるデータの格納の一態様を表わす図である。閾値Ａは、データ領域Ｄ３００に格納される。閾値Ｂは、データ領域Ｄ３１０に格納される。これらの閾値は、予め定められた値であるが、固定値に限られず、必要に応じて変更可能な値である。また、メモリ１３０が記憶する閾値の数は、図３に示したように２つに限られない。たとえばさらに多くの閾値が格納されていてもよい。この場合、たとえば電界強度に応じて閾値が選択されてもよい。
【００７７】
図４を参照して、本実施の形態に係るサブ親機２００におけるデータ構造について説明する。図４は、サブ親機２００のメモリ２４０におけるデータの格納の一態様を表わす図である。閾値Ａは、データ領域Ｄ４００に格納される。閾値Ｂは、データ領域Ｄ４１０に格納される。これらの閾値は、変更可能な値である。なお、メモリ２４０が記憶する閾値の数は、図４に示した数に限られない。また、上記した閾値の格納の態様は、図３あるいは図４に示した態様に限られない。なお、以下では、閾値Ａ＜閾値Ｂとして説明する。
【００７８】
図５を参照して、本実施の形態に係る無線通信システムの親機１００の制御構造について説明する。図５は、親機１００の親機マイコン１１１が実行する処理の手順を表わすフローチャートである。
【００７９】
ステップＳ５０２にて、親機マイコン１１１は、電界強度検出部１１８からの信号に基づいて、電界強度を検出する。ステップＳ５０４にて、親機マイコン１１１は、検出した電界強度に基づいて、親機１００とサブ親機２００とが通信状態であるか否かを判断する。親機１００とサブ親機２００とが通信状態である場合には（ステップＳ５０４にてＹＥＳ）、処理はステップＳ５０６に移される。そうでない場合には（ステップＳ５０４にてＮＯ）、処理はステップＳ５２０に移される。
【００８０】
ステップＳ５０６にて、親機マイコン１１１は、ＬＥＤの点灯を指令する。これにより、点灯の指示信号が親機表示部１３７に出力され、親機表示部１３７が有するＬＥＤ（図示しない）が点灯する。
【００８１】
ステップＳ５０８にて、親機マイコン１１１は、メモリ１３０のデータ領域Ｄ３００に予め記憶されていた閾値Ａを、そのメモリの作業領域に読み出す。ステップＳ５１０にて、親機マイコン１１１は、検出された電界強度が閾値Ａ以下であるか否かを判断する。電界強度が閾値Ａ以下である場合には（ステップＳ５１０にてＹＥＳ）、処理はステップＳ５１２に移される。そうでない場合には（ステップＳ５１０にてＮＯ）、処理はステップＳ５１４に移される。
【００８２】
ステップＳ５１２にて、親機マイコン１１１は、所定の制御信号を出力して、親機フィルタ選択部１１２におけるフィルタをＯＮに設定する。これにより、たとえば親機フィルタ選択部１１２がＬＰＦを有している場合には、予め定められた周波数よりも低い周波数の信号のみが、親機フィルタ選択部１１２から出力される。したがって、その所定の周波数よりも高周波のノイズが親機フィルタ選択部１１２から出力されなくなるため、雑音が出力音声に混じりにくくなる。
【００８３】
ステップＳ５１４にて、親機マイコン１１１は、メモリ１３０のデータ領域Ｄ３１０に予め記憶されていた閾値Ｂを、そのメモリの作業領域に読み出す。ステップＳ５１６にて、親機マイコン１１１は、電界強度が閾値Ｂ以上であるか否かを判断する。電界強度が閾値Ｂ以上である場合には（ステップＳ５１６にてＹＥＳ）、処理はステップＳ５１８に移される。そうでない場合には（ステップＳ５１６にてＮＯ）、処理は終了する。
【００８４】
ステップＳ５１８にて、親機マイコン１１１は、予め定められた制御信号を親機フィルタ選択部１１２に出力して、親機フィルタ選択部１１２におけるフィルタをＯＦＦに設定する。これにより、親機フィルタ選択部１１２に入力された受信信号は、フィルタ処理が行なわれることなく親機音声伸張部１１０に出力される。
【００８５】
ステップＳ５２０にて、親機マイコン１１１は、ＬＥＤの消灯を指令する。その結果、消灯の指令信号が親機表示部１３７に出力され、親機表示部１３７のＬＥＤがそれまで点灯していた場合には、ＬＥＤは消灯する。これにより、利用者は、親機１００とサブ親機２００との間の通信が遮断されたことを知ることができる。一方、ＬＥＤが点灯していない場合には、親機表示部１３７のＬＥＤは、消灯の状態を維持する。
【００８６】
図６を参照して、本実施の形態に係る無線通信システムのサブ親機２００の制御構造について説明する。図６は、サブ親機２００のマイコン２２７が実行する処理の手順を表わすフローチャートである。
【００８７】
ステップＳ６０２にて、サブ親機マイコン２２７は、サブ親機電界強度検出部２３４を介して、受信信号の電界強度を検出する。ステップＳ６０４にて、サブ親機マイコン２２７は、その電界強度に基づいて、親機１００とサブ親機２００とが通信状態であるか否かを判断する。親機１００とサブ親機２００とが通信状態である場合には（ステップＳ６０４にてＹＥＳ）、処理はステップＳ６０６に移される。そうでない場合には（ステップＳ６０４にてＮＯ）、処理はステップＳ６２０に移される。
【００８８】
ステップＳ６０６にて、サブ親機マイコン２２７は、ＬＥＤの点灯を指令する。その結果、点灯の指令信号がサブ親機表示部２３８に出力され、サブ親機表示部２３８が有するＬＥＤ（図示しない）が点灯する。
【００８９】
ステップＳ６０８にて、サブ親機マイコン２２７は、メモリ２４０のデータ領域Ｄ４００に予め記憶されていた閾値Ａを、そのメモリの作業領域に読み出す。ステップＳ６１０にて、サブ親機マイコン２２７は、検出した電界強度が閾値Ａ以下であるか否かを判断する。その電界強度が閾値Ａ以下である場合には（ステップＳ６１０にてＹＥＳ）、処理はステップＳ６１２に移される。そうでない場合には（ステップＳ６１０にてＮＯ）、処理はステップＳ６１４に移される。
【００９０】
ステップＳ６１２にて、サブ親機マイコン２２７は、所定の制御信号を出力して、サブ親機フィルタ選択部２２８におけるフィルタをＯＮに設定する。これにより、たとえばサブ親機フィルタ選択部２２８がＬＰＦを有している場合には、予め定められた周波数よりも低い周波数の信号のみが、サブ親機フィルタ選択部２２８から出力される。したがって、その所定の周波数よりも高周波のノイズがサブ親機フィルタ選択部２２８から出力されなくなるため、雑音が出力音声に混じりにくくなる。
【００９１】
ステップＳ６１４にて、サブ親機マイコン２２７は、メモリ２４０のデータ領域Ｄ４１０に予め記憶されていた閾値Ｂを、そのメモリの作業領域に読み出す。ステップＳ６１６にて、サブ親機マイコン２２７は、検出した電界強度が閾値Ｂ以上であるか否かを判断する。その電界強度が閾値Ｂ以上である場合には（ステップＳ６１６にてＹＥＳ）、処理はステップＳ６１８に移される。そうでない場合には（ステップＳ６１６にてＮＯ）、処理は終了する。
【００９２】
ステップＳ６１８にて、サブ親機マイコン２２７は、予め定められた制御信号をサブ親機フィルタ選択部２２８に出力して、サブ親機フィルタ選択部２２８におけるフィルタをＯＦＦに設定する。これにより、サブ親機フィルタ選択部２２８に入力された受信信号は、フィルタ処理が行なわれることなく、サブ親機音声伸張部２２６に出力される。
【００９３】
ステップＳ６２０にて、サブ親機マイコン２２７は、ＬＥＤの消灯を指令する。その結果、消灯の指令信号がサブ親機表示部２３８に出力され、サブ親機表示部２３８のＬＥＤがそれまで点灯していた場合には、そのＬＥＤは消灯する。これにより、利用者は、親機１００との通信が遮断されたことを知ることができる。一方、ＬＥＤが点灯していない場合には、そのＬＥＤは消灯の状態を維持する。
【００９４】
以上のような構造およびフローチャートに基づく、本実施の形態に係る無線通信システムの動作について説明する。
【００９５】
親機１００とサブ親機２００とは、それぞれ電界強度を検出する(ステップＳ５０２，Ｓ６０２)。その電界強度が予め定められた値を上回る場合には、親機１００とサブ親機２００とは通信状態にあると判断され(ステップＳ５０４にてＹＥＳ）、親機１００の親機表示部１３７とサブ親機２００の表示部とにおいて、それぞれＬＥＤが点灯する(ステップＳ５０６，Ｓ６０６）。
【００９６】
検出された電界強度の大きさがメモリから読み出された閾値Ａ以下である場合には(ステップＳ５１０にてＹＥＳ，ステップＳ６１０にてＹＥＳ）、親機１００とサブ親機２００とはそれぞれフィルタ動作を開始する（ステップＳ５１２，Ｓ６１２）。この場合、電界強度の大きさは閾値Ｂ以上ではないことになり(ステップＳ５１６にてＮＯ、ステップＳ６１６にてＮＯ）、フィルタ処理はＯＮのままとなる。これにより、通信状態が良好ではなく電界強度が所定値（すなわち閾値Ａ）以下である場合には、フィルタ処理が実行される。その結果、微弱信号からノイズが除去されるため、親機１００およびサブ親機２００は音声を明瞭に出力する。
【００９７】
その後、再び電界強度が検出され（ステップＳ５０２，Ｓ６０２）、その電界強度が予め定められた値を下回ると、親機１００とサブ親機２００とは通信状態にないと判断される(ステップＳ５０４にてＮＯ、ステップＳ６０４にてＮＯ）。その結果、親機１００の親機表示部１３７とサブ親機２００の表示部とにおいて、それぞれＬＥＤは消灯する(ステップＳ５２０，Ｓ６２０）。
【００９８】
以上により、本実施の形態に係る無線通信システムによると、利用者は、親機１００あるいはサブ親機２００の各表示部が有するＬＥＤの点灯あるいは消灯を確認することにより、親機１００とサブ親機２００との間の通信状態を容易に認識することができる。また、たとえば通信状態が良好でない場合には、利用者はサブ親機２００の設置場所を変更することにより、通信状態を改善することができる。これにより、通信システムの設置時あるいは使用時において、ドアホン親機とドアホンサブ親機との間の通信状態が悪いことを使用者に通知して、通信システムの通信環境の状況の確認を容易にすることができる無線通信システムを提供することができる。
【００９９】
＜第１の実施の形態  第１の変形例＞
以下、本実施の形態の第１の変形例について説明する。本変形例に係る無線通信システムは、親機とサブ親機との間の通信状態あるいはフィルタのＯＮ／ＯＦＦの状態を個別に通知する機能を有する点で、第１の実施の形態に係る無線通信システムと異なる。
【０１００】
図７を参照して、本変形例に係る無線通信システムの構成について説明する。図７は、無線通信システムに含まれる親機７００とサブ親機８００と子機１５０とを表わすブロック図である。なお、前述の第１の実施の形態に係る無線通信システムに含まれるハードウェアと同じものには、同一の番号を付してある。それらの機能も同じである。したがって、それらについての詳細な説明は、ここでは繰り返さない。
【０１０１】
図７に示すように、親機７００は、図１に示した親機１００の構成に加えて、赤色ＬＥＤ７１０、黄色ＬＥＤ７２０および緑色ＬＥＤ７３０を含む。親機マイコン１１１が出力する制御信号は、各ＬＥＤに入力される。各ＬＥＤは、その信号の入力に応答して、点灯する。また、信号の入力が停止すると、各ＬＥＤは消灯する。この制御信号は、後述するように、サブ親機８００との通信状態、あるいは電界強度の大きさに応じて生成される。
【０１０２】
サブ親機８００は、図１に示したサブ親機２００の構成に加えて、赤色ＬＥＤ８１０、黄色ＬＥＤ８２０および緑色ＬＥＤ８３０を含む。サブ親機マイコン２２７が出力する制御信号は、各ＬＥＤに入力される。各ＬＥＤは、その信号の入力に応答して、点灯する。また、信号の入力が停止すると、各ＬＥＤは消灯する。この制御信号は、後述するように、親機７００との通信状態、あるいは電界強度の大きさに応じて生成される。
【０１０３】
図８を参照して、本変形例に係る親機７００の制御構造について説明する。図８は、親機７００の親機マイコン１１１が実行する処理の手順を表わすフローチャートである。なお、図５に示した処理と同一の処理には同一のステップ番号を付し、それらについての説明は繰り返さない。
【０１０４】
ステップＳ８０２にて、親機マイコン１１１は、入力信号を検出する。この信号は、たとえば親機７００の内部で伝送されるテスト信号、あるいはサブ親機８００から受信する信号である。
【０１０５】
ステップＳ８０４にて、親機マイコン１１１は、入力信号に基づいて、無線通信システムが正常に作動しているか否かを判断する。システムが正常に作動している場合には（ステップＳ８０４にてＹＥＳ）、処理はステップＳ５０２に移される。そうでない場合には（ステップＳ８０４にてＮＯ）、処理はステップＳ８２６に移される。
【０１０６】
ステップＳ８０８にて、親機マイコン１１１は、ステップＳ５０２にて検出した電界強度に基づいて、親機７００とサブ親機８００とが通信状態であるか否かを判断する。親機７００とサブ親機８００とが通信状態である場合には（ステップＳ８０８にてＹＥＳ）、処理はステップＳ５０８に移される。そうでない場合には（ステップＳ８０８にてＮＯ）、処理はステップＳ８２４に移される。
【０１０７】
ステップＳ８１４にて、親機マイコン１１１は、黄色ＬＥＤ７２０の点灯を指令する。これにより、指令信号が親機マイコン１１１から黄色ＬＥＤ７２０に送信され、黄色ＬＥＤ７２０は点灯する。ステップＳ８１６にて、親機マイコン１１１は、緑色ＬＥＤ７３０の点灯を指令する。これにより、指令信号が親機マイコン１１１から緑色ＬＥＤ７３０に送信され、緑色ＬＥＤ７３０は点灯する。ステップＳ８２２にて、親機マイコン１１１は、黄色ＬＥＤ７２０の点灯を指令する。これにより、指令信号が親機マイコン１１１から黄色ＬＥＤ７２０に送信され、黄色ＬＥＤ７２０は点灯する。ステップＳ８２４にて、親機マイコン１１１は、赤色ＬＥＤ７１０の点灯を指令する。これにより、指令信号が親機マイコン１１１から緑色ＬＥＤ７３０に送信され、緑色ＬＥＤ７３０は点灯する。
【０１０８】
ステップＳ８２６にて、親機マイコン１１１は、ＬＥＤの消灯を指令する。これにより、各ＬＥＤに出力されていた点灯のための指令信号の出力が停止され、いずれかのＬＥＤが点灯していた場合には、そのＬＥＤは消灯する。
【０１０９】
図９を参照して、本変形例に係るサブ親機８００の制御構造について説明する。図９は、サブ親機８００のサブ親機マイコン２２７が実行する処理の手順を表わすフローチャートである。なお、図６に示した処理と同一の処理には同一のステップ番号を付し、それらについての説明は繰り返さない。
【０１１０】
ステップＳ９０２にて、サブ親機マイコン２２７は、入力信号を検出する。この信号は、たとえばサブ親機８００の内部で伝送されるテスト信号、あるいは親機７００から受信する信号である。
【０１１１】
ステップＳ９０４にて、サブ親機マイコン２２７は、入力信号に基づいて、無線通信システムが正常に作動しているか否かを判断する。システムが正常に作動している場合には（ステップＳ９０４にてＹＥＳ）、処理はステップＳ６０２に移される。そうでない場合には（ステップＳ９０４にてＮＯ）、処理はステップＳ９２６に移される。
【０１１２】
ステップＳ９０８にて、サブ親機マイコン２２７は、ステップＳ６０２にて検出した電界強度に基づいて、親機７００とサブ親機８００とが通信状態であるか否かを判断する。親機７００とサブ親機８００とが通信状態である場合には（ステップＳ９０８にてＹＥＳ）、処理はステップＳ６０８に移される。そうでない場合には（ステップＳ９０８にてＮＯ）、処理はステップＳ９２４に移される。
【０１１３】
ステップＳ９１４にて、サブ親機マイコン２２７は、黄色ＬＥＤ８２０の点灯を指令する。これにより、指令信号がサブ親機マイコン２２７から黄色ＬＥＤ８２０に送信され、黄色ＬＥＤ８２０は点灯する。ステップＳ９１６にて、サブ親機マイコン２２７は、緑色ＬＥＤ８３０の点灯を指令する。これにより、指令信号がサブ親機マイコン２２７から緑色ＬＥＤ８３０に送信され、緑色ＬＥＤ８３０は点灯する。ステップＳ９２２にて、サブ親機マイコン２２７は、黄色ＬＥＤ８２０の点灯を指令する。これにより、指令信号がサブ親機マイコン２２７から黄色ＬＥＤ８２０に送信され、黄色ＬＥＤ８２０は点灯する。ステップＳ９２４にて、サブ親機マイコン２２７は、赤色ＬＥＤ８１０の点灯を指令する。これにより、指令信号がサブ親機マイコン２２７から緑色ＬＥＤ８３０に送信され、緑色ＬＥＤ８３０は点灯する。
【０１１４】
ステップＳ９２６にて、サブ親機マイコン２２７は、ＬＥＤの消灯を指令する。これにより、各ＬＥＤに出力されていた点灯のための指令信号の出力が停止され、いずれかのＬＥＤが点灯していた場合には、そのＬＥＤは消灯する。
【０１１５】
以上のような構造およびフローチャートに基づく、本変形例に係る無線通信システムの動作について説明する。なお、前述の第１の実施の形態における動作と同じ動作の説明は、ここでは繰り返さない。
【０１１６】
親機７００とサブ親機８００とが正常に作動しているとき、システムは正常に作動していると判断される（ステップＳ８０４にてＹＥＳ、ステップＳ９０４にてＹＥＳ）。信号の強度が予め定められた値以上である場合には親機７００とサブ親機８００とは通信状態にあると判断される（ステップＳ８０８にてＹＥＳ、ステップＳ９０８にてＹＥＳ）。電界強度が閾値Ａ以下である場合には(ステップ５１０にてＹＥＳ、ステップＳ６１０にてＹＥＳ）、フィルタ処理が開始される（ステップＳ５１０，Ｓ６１０）。これにより、受信信号からノイズが除去されるため、音声が明瞭に出力される。また、黄色ＬＥＤ７２０，８２０がそれぞれ点灯する(ステップＳ８１４，Ｓ９１４）。したがって、利用者は、親機７００あるいはサブ親機８００のいずれにおいても、フィルタ処理が実行中であること、すなわち微弱電波が通信されていることを認識することができる。この場合、電界強度は閾値Ｂ以上ではないため（ステップＳ５１６にてＮＯ）、黄色ＬＥＤ７２０，８２０は点灯し続ける（ステップＳ８２２，Ｓ９２２）。
【０１１７】
その後、通信状態が変化して電界強度が十分に大きくなると（ステップＳ５１０にてＮＯ）、緑色ＬＥＤ７３０，８３０が点灯する（ステップＳ８１６，Ｓ９１６）。また、電界強度が閾値Ｂよりも大きい場合には（ステップＳ５１６にてＹＥＳ、ステップＳ６１６にてＹＥＳ）、フィルタ処理が終了するため（ステップＳ５１８，Ｓ６１８）、緑色ＬＥＤ７３０，８３０は点灯し続ける（ステップＳ８２０，Ｓ９２０）。これにより、利用者は、電波の状態が向上したことを認識することができる。
【０１１８】
以上のようにして、本変形例に係る無線通信システムは、親機７００とサブ親機８００との間の通信状態あるいはフィルタのＯＮ／ＯＦＦの状態を個別に通知するため、利用者は、通信の状況を容易に把握することができる。これにより、利用者は、たとえばサブ親機８００の設置場所を変更することが可能になるため、通信環境を速やかに改善することができる。
【０１１９】
なお、親機７００とサブ親機８００との間の通信状態、あるいは電界強度の大きさもしくはフィルタのＯＮ／ＯＦＦの状態をそれぞれ通知する態様は、上記の態様に限られない。たとえば、親機７００あるいはサブ親機８００は、各ＬＥＤに代えて文字表示部(図示しない）を含んでもよい。この場合、電界強度のレベルが所定の値よりも大きい場合には、親機７００あるいはサブ親機８００において、文字表示部に「良好」の文字を表示させてもよい。電界強度のレベルが所定の値よりも小さい場合には、文字表示部に「普通」の文字を表示させてもよい。また、親機７００とサブ親機８００とが通信状態を維持できない場合には、文字表示部に「不良」の文字を表示させてもよい。
【０１２０】
あるいは、親機７００もしくはサブ親機８００は、電界強度レベルに合わせて表示部にレベルメータが伸び縮みするように表示させてもよい。あるいは、親機７００もしくはサブ親機８００は、強度に合わせて、文字、レベルメータ以外の絵記号等を表示させてもよい。このように、親機表示部あるいはサブ親機表示部が、それぞれ親機電界強度検出部１１８あるいはサブ親機電界強度検出部２３４の出力に応じて、表示シンボルを変化して表示することで、親機７００あるいはサブ親機８００が置かれている通信環境の状態が利用者に明示的に通知される。
【０１２１】
このようにすると、利用者は、無線通信システムの通信状態が良好であるのか、フィルタを使用する必要がある程まで悪化しているのか、無線通信を維持できない状態であるのか、あるいは、無線通信システムは故障等により作動していない状態なのかを、一目見て直感的に理解することができる。また利用者は、無線通信システムの動作状況を速やかに判断することができるため、親機７００あるいはサブ親機８００の設置場所の変更、無線通信システムの点検その他の対応が、早期に実施可能になる。これにより、音声信号の劣化を事前に防いだり、最小限にとどめることができる。
【０１２２】
＜第１の実施の形態  第２の変形例＞
以下、図１０〜図１６を参照して、本実施の形態の第２の変形例について説明する。本変形例に係る無線通信システムは、親機あるいはサブ親機がテスト音声データを予め記憶し、そのデータを送信して検出された電界強度に基づいて、フィルタ処理の選択あるいは表示部における表示の態様を切り替える機能を有する点で、前述の第１の実施の形態と異なる。
【０１２３】
図１０を参照して、本変形例に係る無線通信システムについて説明する。図１０は、無線通信システムの構成を表わすブロック図である。この無線通信システムにおいて、親機１０００は、図１に示した親機１００の構成に加えて、メモリ１０１０を含む。メモリ１０１０は、テスト音声データを予め格納している。メモリ１０１０におけるデータ構造は、後述する。親機マイコン１１１は、そのテスト音声データを読み出してサブ親機１１００に送信する。この親機マイコン１１１の制御構造については、後述する。
【０１２４】
また、サブ親機１１００は、図１に示したサブ親機２００の構成に加えて、メモリ１１１０を含む。メモリ１１１０は、テスト音声データを予め格納している。メモリ１１１０におけるデータ構造は、後述する。サブ親機マイコン２２７は、そのテスト音声データを読み出して親機１０００に送信する。このサブ親機マイコン２２７の制御構造については、後述する。
【０１２５】
図１１を参照して、本変形例に係る親機１０００におけるデータ構造について説明する。図１１は、親機１０００のメモリ１０１０におけるテスト音声データの格納の一態様を表わす図である。第１のテスト音声データは、データ領域Ｄ１１００に格納される。第２のテスト音声データは、データ領域Ｄ１１１０に格納される。なお、メモリ１０１０に格納されるテスト音声データの数は、特に限られない。
【０１２６】
図１２を参照して、本変形例に係るサブ親機１１００におけるデータ構造について説明する。図１２は、サブ親機１１００のメモリ１１１０におけるテスト音声データの格納の態様を表わす図である。第１のテスト音声データは、データ領域Ｄ１２００に格納される。第２のテスト音声データは、データ領域Ｄ１２１０に格納される。なお、メモリ１１１０に格納されるテスト音声データの数は、特に限られない。また、メモリ１０１０に格納されるテスト音声データと、メモリ１１１０に格納されるテスト音声データとは同一でなくてもよい。
【０１２７】
図１３を参照して、本変形例に係る親機１０００の制御構造について説明する。図１３は、親機１０００の親機マイコン１１１が実行する処理の手順を表わすフローチャートである。この処理は、予め定められた条件が成立したときに実行される。この条件には、たとえば所定の時刻になったとき、利用者が通信状況の確認の指示をボタン（図示しない）を介して入力した場合等が含まれる。
【０１２８】
ステップＳ１３０２にて、親機マイコン１１１は、メモリ１０１０からテスト音声データを読み出す。ステップＳ１３０４にて、親機マイコン１１１は、サブ親機１１００にテスト音声データを送信する。
【０１２９】
図１４を参照して、本変形例に係るサブ親機１１００の制御構造について説明する。図１４は、サブ親機１１００のサブ親機マイコン２２７が実行する処理の手順を表わすフローチャートである。サブ親機１１００が待機状態であるときに、親機１０００から予め定められた信号（たとえば前記したテスト音声データ）を受信した場合、この処理は実行される。
【０１３０】
ステップＳ１４０２にて、サブ親機マイコン２２７は、親機１０００からテスト音声データを受信する。ステップＳ１４０４にて、サブ親機マイコン２２７は、そのデータに基づいて電界強度を検出する。
【０１３１】
ステップＳ１４０６にて、サブ親機マイコン２２７は、フィルタ処理を制御する。この制御の態様には、前記したように、電界強度と閾値との関係に基づいてフィルタの動作を切り替える処理が含まれる。
【０１３２】
ステップＳ１４０８にて、サブ親機マイコン２２７は、テスト音声データの通信状況を表わすための信号を生成する。ステップＳ１４１０にて、サブ親機マイコン２２７は、その信号をサブ親機表示部２３８に出力する。これにより、サブ親機表示部２３８は、テスト音声データに基づいて通信状態を表示する。
【０１３３】
図１５を参照して、本変形例に係るサブ親機１１００の制御構造についてさらに説明する。図１５は、サブ親機１１００のサブ親機マイコン２２７が実行する処理の手順を表わすフローチャートである。この処理は、予め定められた条件が成立したときに実行される。この条件には、たとえば所定の時刻になったとき、利用者が通信状況の確認の指示をボタン（図示しない）を介して入力した場合等が含まれる。
【０１３４】
ステップＳ１５０２にて、サブ親機マイコン２２７は、メモリ１１１０からテスト音声データを読み出す。ステップＳ１５０４にて、サブ親機マイコン２２７は、親機１０００にテスト音声データを送信する。
【０１３５】
図１６を参照して、本変形例に係る親機１０００の制御構造について説明する。図１６は、親機１０００の親機マイコン１１１が実行する処理の手順を表わすフローチャートである。親機１０００が待機状態であるときに、サブ親機１１００から予め定められた信号（たとえば前記したテスト音声データ）を受信した場合、この処理は実行される。
【０１３６】
ステップＳ１６０２にて、親機マイコン１１１は、サブ親機１１００からテスト音声データを受信する。ステップＳ１６０４にて、親機マイコン１１１は、そのデータに基づいて電界強度を検出する。
【０１３７】
ステップＳ１６０６にて、親機マイコン１１１は、フィルタ処理を制御する。この制御の態様には、前記したように、電界強度と閾値との関係に基づいてフィルタの動作を切り替える処理が含まれる。
【０１３８】
ステップＳ１６０８にて、親機マイコン１１１は、テスト音声データの通信状況を表わすための信号を生成する。ステップＳ１６１０にて、親機マイコン１１１は、その信号を親機表示部１３７に出力する。これにより、親機表示部１３７は、テスト音声データに基づいて通信状態を表示する。
【０１３９】
以上のような構造およびフローチャートに基づく、本変形例に係る無線通信システムの動作について説明する。以下では、親機１０００がサブ親機１１００にテスト音声データを送信する場合の動作について説明する。
【０１４０】
親機１１００において予め定められた時刻になると、親機マイコン１１１はメモリ１０１０からテスト音声データを読み出して（ステップＳ１３０２）、サブ親機１１００に送信する（ステップＳ１３０４）。サブ親機マイコン２２７がそのデータを受信すると（ステップＳ１４０２）、サブ親機マイコン２２７は、サブ親機電界強度検出部２３４を介して、電界強度を検出する（ステップＳ１４０４）。サブ親機マイコン２２７は、検出結果に応じてフィルタ処理を制御し（ステップＳ１４０６）、テスト音声データの通信状況を通知するための信号を生成し（ステップＳ１４０８）、そしてサブ親機表示部２３８にその信号を出力する（ステップＳ１４１０）。サブ親機１１００の表示部は、テスト音声データの受信状況に応じて点灯したり、あるいは消灯する。
【０１４１】
以上のようにして、本変形例に係る無線通信システムによると、通信システム設置時や通常の使用時において、利用者は、通信システムの通信環境状況を確認することが可能となる。これにより、所望の通信状態になるように設置場所等の変更が容易になり、常に良好な通信状態を維持することができる無線通信システムを提供することができる。
【０１４２】
＜第２の実施の形態＞
以下、図１７〜図２２を参照して、本発明の第２の実施の形態について説明する。本実施の形態に係る無線通信システムは、画像信号の劣化を最小限に抑え、できるだけ信号の伝送を維持することができる機能を有する点で、前述の各実施の形態に係るシステムと異なる。
【０１４３】
図１７を参照して、本実施の形態に係る無線通信システムについて説明する。図１７は、本実施の形態に係る無線通信システムに含まれる親機１７００とサブ親機１８００と子機６００とを表わすブロック図である。親機１７００とサブ親機１８００との間の無線通信は、たとえばBluetooth規格のＡＣＬ（Asynchronous Connection Less）リンクに基づいて行なわれるが、通信の態様は、これに限られない。なお、本実施の形態に係る無線通信システムにおいて、前述の第１の実施の形態に係る無線通信システムが有するハードウェア構成と同一の構成には、同一の番号を付してある。それらの機能も同じである。したがって、それらについての説明は繰り返さない。
【０１４４】
図１７に示すように、親機１７００は、親機ビデオデコーダ１１４２と、親機画像圧縮部１１４３と、親機画像メモリ１１４４と、親機マイコン１１１１と、親機無線制御部１１２０と、親機フィルタ画像圧縮方法選択部１１４５と、親機エラー情報検出部１１５２と、親機モニタ１１６０と、親機アンテナ１１９とを含む。親機無線制御部１１２０は、親機送信用信号処理部１１３と、親機受信用信号処理部１１１４と、親機送信部１１５と、親機受信部１１６と、親機送受信切換スイッチ１１７とを含む。親機無線制御部１１２０は、好ましくは、たとえばBluetoothベースバンドチップであるが、これに限られない。親機モニタ１１６０は、たとえばＬＣＤ（Liquid Crystal Display）であるが、その他の映像表示手段であってもよい。
【０１４５】
親機１７００において、子機６００から入力される画像信号は、親機ビデオデコーダ１１４２に入力される。親機ビデオデコーダ１１４２は、入力信号をＹＵＶ信号その他のデジタル画像信号に変換する。
【０１４６】
親機ビデオデコーダ１１４２から出力される信号は、親機画像圧縮部１１４３と親機モニタ１１６０とに入力される。親機画像圧縮部１１４３は、親機画像メモリ１１４４におけるＦＩＦＯ（First-in First-out）方式に基づいて、画像信号の圧縮処理を実行する。この時に使用される圧縮方法は、たとえばＪＰＥＧ（Joint Photographic Experts Group）符号化方式やＭＰＥＧ−４（Moving Picture Experts Group Phase 4）符号化方式が好ましいが、その他の圧縮方法であってもよい。
【０１４７】
親機画像圧縮部１１４３から出力される信号は、Ｉ／Ｏ（Input/Output）ポートを介して親機マイコン１１１１に入力される。親機マイコン１１１１は、ＵＡＲＴ（Universal Asynchronous Receiver Transmitter）その他の論理インターフェースを介して、入力信号を親機無線制御部１１２０の親機送信用信号処理部１１３に出力する。親機マイコン１１１１はさらに、入力される信号に基づいて、所定の動作を制御する。この動作の制御構造については、後述する。
【０１４８】
親機受信部１１６から出力される信号は、親機受信用信号処理部１１１４に入力される。親機受信用信号処理部１１１４は、入力信号に対して、誤り訂正、逆白色化、誤り検出、その他の処理を実行する。
【０１４９】
親機受信用信号処理部１１１４から出力される信号は、親機マイコン１１１１とエラー情報検出部１１５２とに入力される。エラー情報検出部１１５２は、入力信号からエラー情報を検出する。このエラー情報には、たとえば通信状態が所定値以下であることを表わす情報等が含まれる。このエラー情報は、親機マイコン１１１１に入力される。
【０１５０】
親機マイコン１１１１は、親機受信用信号処理部１１１４からの各信号に基づいて、親機画像圧縮方法選択部１１４５に所定の制御信号を送信することにより、画像圧縮のための量子化テーブルを選択する。
【０１５１】
図１７を再び参照して、本実施の形態に係る無線通信システムを構成するサブ親機１８００の構成について説明する。サブ親機１８００は、サブ親機画像伸張部１２５５と、サブ親機画像メモリ１２５６と、サブ親機マイコン１２２７と、サブ親機無線制御部１２３６と、サブ親機アンテナ２３５と、サブ親機表示部２３８とを含む。サブ親機無線制御部１２３６は、サブ親機送信用信号処理部２２９と、サブ親機受信用信号処理部２３０と、サブ親機送信部２３１と、サブ親機受信部２３２と、サブ親機送受信切換スイッチ２３３と、サブ親機電界強度検出部２３４と、サブ親機ビット誤り率検出部１２６５とを含む。サブ親機無線制御部１２３６は、好ましくは、たとえばBluetoothベースバンドチップであるが、これに限られない。
【０１５２】
サブ親機１８００において、サブ親機アンテナ２３５により受信された信号は、サブ親機送受信切換スイッチ２３３を介して、サブ親機受信部２３２とサブ親機電界強度検出部２３４とに入力される。
【０１５３】
サブ親機受信用信号処理部２３０から出力される信号は、サブ親機マイコン１２２７と、サブ親機ビット誤り率検出部１２６５とに入力される。サブ親機ビット誤り率検出部１２６５は、サブ親機アンテナ２３５を介して受信した信号のビット誤り率を検出する。この検出は、たとえばＣＲＣ（Cyclic Redundancey Check）方式に基づいて行なわれる。その検出結果は、サブ親機マイコン１２２７に送信される。サブ親機マイコン１２２７は、各部から入力される信号に基づいて、画像信号を伸張する方法を選択する処理を実行する。
【０１５４】
サブ親機画像伸張部１２５５は、サブ親機画像メモリ１２５６において、ＦＩＦＯ方式に基づいて、選択された画像伸張方法を使用して受信信号を伸張する。この画像伸張方法は、たとえばＪＰＥＧ符号化方式あるいはＭＰＥＧ−４符号化方式が好ましいが、その他の方式であってもよい。
【０１５５】
サブ親機画像伸張部１２５５から出力される画像信号は、サブ親機モニタ１２６０に出力される。これにより、サブ親機モニタ１２６０は、子機６００から親機１７００に入力された画像を表示することができる。
【０１５６】
さらに、図１７を参照して、子機６００の構成について説明する。子機６００は、カメラ６１０と、子機画像信号処理部６２０とを含む。カメラ６１０は、たとえば固体撮像素子を有するカメラを含む。
【０１５７】
カメラ６１０が撮像した被写体（たとえば、訪問客）の信号は、子機画像信号処理部６２０に入力される。子機画像信号処理部６２０は、入力信号を変換して、所定の送信信号を生成する。子機画像信号処理部６２０は、送信信号を親機１７００に送信する。この信号の送信方式は、たとえばＮＴＳＣ（National Television Standards Committee）方式であるが、その他の方式であってもよい。
【０１５８】
図１８を参照して、本実施の形態に係る無線通信システムの親機１７００におけるデータ構造について説明する。図１８（Ａ）は、親機マイコン１１１１の内部メモリ１１３０に格納される量子化テーブルの記憶の態様を説明するための図である。図１８（Ｂ）は、各量子化テーブルに含まれるデータの一例を表わす図である。
【０１５９】
図１８（Ａ）に示すように、内部メモリ１１３０は、予め設定された複数の量子化テーブルを記憶している。この量子化テーブルに格納されるデータは、受信信号の電界強度に応じて予め設定されている（たとえば図１８（Ｂ））。なお、このようにして予め記憶される量子化テーブルの数は、特に限られない。量子化テーブルに格納されるデータの形式は、図１８（Ｂ）に示したものに限られない。また、このような量子化のためのデータは、親機マイコン１１１１の内部メモリ１１３０に格納されてもよいし、親機マイコン１１１１の外部のメモリに格納されてもよい。
【０１６０】
上記のように内部メモリ１１３０に予め記憶されている量子化テーブルに対して、親機画像伸張方法選択部１１４５は、入力された信号に基づいて、図１８に示した量子化テーブルの選択が適切であるか否かを判断する。適切な量子化テーブルが選択されている場合には、所定の画像伸張処理が、そのテーブルにおいて設定されている圧縮率に基づいて実行される。
【０１６１】
図１９を参照して、本実施の形態に係る無線通信システムのサブ親機１８００におけるデータ構造について説明する。図１９（Ａ）は、サブ親機マイコン１２２７の内部メモリ１２４０に格納される量子化テーブルの記憶の態様を説明するための図である。図１９（Ｂ）は、各量子化テーブルに含まれるデータの一例を表わす図である。なお、図１８および図１９から明らかなように、親機１８００およびサブ親機１９００に格納される量子化テーブルは、同一のデータ構造を有する。
【０１６２】
図１９（Ａ）に示すように、内部メモリ１２４０は、予め設定された複数の量子化テーブルを記憶している。この量子化テーブルに格納されるデータは、受信信号の電界強度に応じて予め設定されている（たとえば図１９（Ｂ））。なお、このようにして予め記憶される量子化テーブルの数は、特に限られない。量子化テーブルに格納されるデータの形式は、図１９（Ｂ）に示したものに限られない。また、このような量子化のためのデータは、サブ親機マイコン１２２７の内部メモリ１２４０に格納されてもよいし、サブ親機マイコン１２２７の外部のメモリに格納されてもよい。
【０１６３】
上記のように内部メモリ１２４０に予め記憶されている量子化テーブルに対して、サブ親機画像伸張方法選択部１２５７は、入力信号に基づいて、図１９に示した量子化テーブルの選択が適切であるか否かを判断する。適切な量子化テーブルが選択されている場合には、所定の画像伸張処理が、そのテーブルにおいて設定されている圧縮率に基づいて実行される。
【０１６４】
図２０を参照して、本実施の形態に係るサブ親機１８００の制御構造について説明する。図２０は、サブ親機１８００のマイコン１２２７が実行する処理の手順を表わすフローチャートである。なお、前述の第１の実施の形態における処理と同一の処理には、同一のステップ番号を付し、それらについての詳細な説明は繰り返さない。なお、以下では、量子化テーブルに含まれる圧縮率の大小関係に関し、量子化テーブルＴ（１）＞量子化テーブルＴ（２）として説明する。
【０１６５】
ステップＳ２０１０にて、サブ親機マイコン１２２７は、受信信号に基づいて、ビット誤り率を検出する。ステップＳ６１０にて、サブ親機マイコン１２２７は、検出した電界強度が閾値Ａ以下であるか否かを判断する。その電界強度が閾値Ａ以下である場合には（ステップＳ６１０にてＹＥＳ）、処理はステップＳ２０２０に移される。そうでない場合には（ステップＳ６１０にてＮＯ）、処理はステップＳ２０３０に移される。
【０１６６】
ステップＳ２０２０にて、サブ親機マイコン１２２７は、内部メモリ１２４０に格納されている複数の量子化テーブルの中から、量子化テーブルＴ（１）を選択する。ステップＳ２０３０にて、サブ親機マイコン１２２７は、内部メモリ１２４０から閾値Ｘを読み出す。ステップＳ２０４０にて、サブ親機マイコン１２２７は、検出されたビット誤り率が予め定められた閾値Ｘより小さいか否かを判断する。ビット誤り率が閾値Ｘよりも小さい場合には（ステップＳ２０４０にてＹＥＳ）、処理はステップＳ２０２０に移される。そうでない場合には（ステップＳ２０４０にてＮＯ）、処理はステップＳ６１４に移される。
【０１６７】
ステップＳ６１６にて、サブ親機マイコン１２２７は、検出した電界強度が閾値Ｂ以上であるか否かを判断する。その電界強度が閾値Ｂ以上である場合には（ステップＳ６１６にてＹＥＳ）、処理はステップＳ２０５０に移される。そうでない場合には（ステップＳ６１６にてＮＯ）、処理はステップＳ２０６０に移される。ステップＳ２０５０にて、サブ親機マイコン１２２７は、内部メモリ１２４０に格納されている複数の量子化テーブルの中から、量子化テーブルＴ（２）を選択する。
【０１６８】
ステップＳ２０６０にて、サブ親機マイコン１２２７は、内部メモリ１２４０から閾値Ｘを読み出す。ステップＳ２０７０にて、サブ親機マイコン１２２７は、検出されたビット誤り率が予め定められた閾値Ｘ以上であるか否かを判断する。ビット誤り率が閾値Ｘ以上である場合には（ステップＳ２０７０にてＹＥＳ）、処理はステップＳ２０５０に移される。そうでない場合には（ステップＳ２０７０にてＮＯ）、処理はステップＳ２０８０に移される。
【０１６９】
ステップＳ２０８０にて、サブ親機マイコン１２２７は、親機１７００に、作動状態を表わす情報を送信する。この情報には、たとえばサブ親機１８００における量子化テーブルの選択結果、検出された電界強度あるいはビット誤り率等が含まれるが、サブ親機１８００が検出可能な他の情報が含まれていてもよい。
【０１７０】
図２１を参照して、本実施の形態に係る無線通信システムを構成する親機１７００の制御構造について説明する。図２１は、親機１７００が実行する処理の手順を表わすフローチャートである。この処理は、親機１７００がサブ親機１８００から予め定められた信号コードを含む情報を受信したときに実行される。
【０１７１】
ステップＳ２１１０にて、親機１７００の親機マイコン１１１１は、サブ親機１８００から送信された情報を受信する。この情報には、上記したように、たとえばサブ親機１８００における量子化テーブルの選択結果、検出された電界強度あるいはビット誤り率等が含まれている。ステップＳ２１２０にて、エラー情報検出部１１５２は、サブ親機１８００からの受信情報から、エラー情報を検出する。このエラー情報は、たとえばサブ親機１８００において適切な量子化テーブルが決定されなかったことを通知するためのデータを含む。
【０１７２】
ステップＳ２１３０にて、親機画像圧縮方法選択部１１４５は、親機マイコン１１１１からの信号に基づいて、内部メモリ１１３０に予め記憶された量子化テーブルを選択する。なお、内部メモリ１１３０には、サブ親機マイコン１２２７の内部メモリ１２４０が記憶している量子化テーブルと同一のデータ（量子化テーブルＴ（１）と量子化テーブルＴ（２））が記憶されている。ステップＳ２１４０にて、親機画像圧縮部４４３は、選択された量子化テーブルに含まれるデータを圧縮率として設定する。
【０１７３】
以上のような構造およびフローチャートに基づく、本実施の形態に係る無線通信システムの動作について説明する。
【０１７４】
［通信状態が良好な場合］
ドアに取付けられた子機６００において撮像された被写体（たとえば訪問者）の画像信号が、親機１７００のビデオデコーダ４４２に入力される。この信号は、親機画像圧縮部１１４３において所定の圧縮処理が行なわれた後、親機無線制御部１１２０から親機アンテナ１１９を介してサブ親機１８００に送信される。
【０１７５】
サブ親機１８００がサブ親機アンテナ２３５を介して親機１７００からの信号を受信すると、サブ親機無線制御部１２３６において電界強度およびビット誤り率が検出される（ステップＳ６０２，Ｓ２０１０）。親機１７００とサブ親機１８００とが通信状態である場合には（ステップＳ６０４にてＹＥＳ）、ＬＥＤを有する表示部２３８が点灯する（ステップＳ６０６）。
【０１７６】
さらに、検出された電界強度が予め定められた閾値Ａ以下である場合には（ステップＳ６１０にてＹＥＳ）、量子化テーブルＴ（１）が選択され（ステップＳ７０６）、画像伸張部１２５５は、そのテーブルに含まれているデータに基づいて、受信信号の伸張処理を実行する。ここで、図２に示したように閾値Ａは閾値Ｂよりも小さいため、検出された電界強度は閾値Ｂ以上ではない（ステップＳ６１６にてＮＯ）。そこで、閾値Ｘが内部メモリ１２４０から読み出され（ステップＳ２０６０）、ビット誤り率が閾値Ｘよりも小さい場合には（ステップＳ２０７０にてＮＯ）、サブ親機１８００は、親機１７００からの信号の受信結果を含む情報を親機１７００に送信する（ステップＳ２０８０）。
【０１７７】
親機１７００がサブ親機１８００からの情報を受信すると（ステップＳ２１１０）、親機エラー情報検出部１１５２は、その情報からエラー情報を検出する（ステップＳ２１２０）。親機フィルタ画像圧縮方法選択部１１４５は、複数の量子化テーブルの中から、その検出された情報に応じた量子化テーブルを選択する（ステップＳ２１３０）。親機マイコン１１１１は、選択されたテーブルに含まれるデータを新たな圧縮率として設定する（ステップＳ２１４０）。
【０１７８】
これにより、その後子機６００から出力された映像信号は、新たな圧縮率に基づいて、親機画像圧縮部によって圧縮され、サブ親機１８００に送信される。したがって、その後サブ親機１８００によって検出される電界強度あるいはビット誤り率は、その他の通信条件が変わらない限り、先に検出された状態が反映されたものとなる。
【０１７９】
すなわち、親機１７００が選択した量子化テーブルは、サブ親機１８００が選択した量子化テーブルと同じ内容のデータを含む。したがって、親機１７００がその量子化テーブルに基づいて画像信号を圧縮して送信することにより、サブ親機１８００は画像信号を明瞭に伸張することができる。
【０１８０】
［通信状態が悪化した場合］
その後、親機１７００とサブ親機１８００との通信状態が悪化した場合には（ステップＳ６０４にてＮＯ）、サブ親機１８００においてサブ親機表示部２３８のＬＥＤが消灯する（ステップＳ６２０）。
【０１８１】
以上のようにして、本実施の形態に係る無線通信システムによると、親機１７００が送信した信号がサブ親機１８００において受信され、電界強度とビット誤り率とが検出される。その場合、親機１７００とサブ親機１８００との間の通信状態が悪化することにより、電界強度とビット誤り率とが変化した場合でも、サブ親機１８００において適切な量子化テーブルが選択される。
【０１８２】
サブ親機１８００は、このようにして選択された量子化テーブルと通信状態の悪化を表わすエラー情報とを親機１７００に送信するため、親機１７００は、適切な量子化テーブルを選択し、そのテーブルのデータに基づいて信号をサブ親機１８００に送信することができる。これにより、通信状態の改善が図られるとともに、通信状態が悪化した場合には、サブ親機表示部２３８のＬＥＤが消灯する。このようにすると、利用者は、無線通信システムの通信状態が良好でないことを容易に認識することができる。その結果、利用者は通信状態を改善するための措置（たとえばサブ親機１８００を使用する場所の変更、他の電子機器の電源ＯＦＦ等）を速やかにとることができるため、無線通信システムは、良好な通信状態を維持しやすくなる。その結果、親機１７００とサブ親機１８００との間のデータ転送がスムーズに行なわれ、また画像信号の劣化を最小限に抑えることができる。
【０１８３】
さらに、その量子化テーブルを選択する際に２つの電界強度の閾値を使用することにより、ヒステリシスを持たせることができる。このようにすると、１つの閾値を使用する場合に比べて、電界強度が閾値付近を変動する場合における処理のふらつきを防止することができる。
【０１８４】
＜第２の実施の形態  第１の変形例＞
以下、本発明の第２の実施の形態の第１の変形例について説明する。本変形例に係る無線通信システムは、通信状況を利用者に報知するための手段として、複数色のＬＥＤを有する。
【０１８５】
図２２を参照して、本変形例に係る無線通信システムについて説明する。図２２は、本変形例に係る無線通信システムの構成を表わすブロック図である。なお、前述の各実施の形態における構成要素と同一のものには同一の番号を付してある。それらの機能も同じである。したがって、それらについての詳細な説明は繰り返さない。
【０１８６】
図２２に示すように、無線通信システムは、子機６００と親機２２００とサブ親機２３００とを含む。親機２２００は、図１７に示した親機１７００の構成に加えて、赤色ＬＥＤ７１０、黄色ＬＥＤ７２０および緑色ＬＥＤ７３０を含む。親機マイコン１１１１が出力する制御信号は、各ＬＥＤに入力される。各ＬＥＤは、その信号の入力に応答して、点灯する。また、信号の入力が停止すると、各ＬＥＤは消灯する。この制御信号は、後述するように、サブ親機２３００との通信状態、あるいは電界強度の大きさに応じて生成される。この信号の生成、出力その他の処理の手順については、後述する。
【０１８７】
サブ親機２３００は、図１７に示したサブ親機１８００の構成に加えて、赤色ＬＥＤ８１０、黄色ＬＥＤ８２０および緑色ＬＥＤ８３０を含む。サブ親機マイコン１２２７が出力する制御信号は、各ＬＥＤに入力される。各ＬＥＤは、その信号の入力に応答して、点灯する。また、信号の入力が停止すると、各ＬＥＤは消灯する。この制御信号は、後述するように、親機２２００との通信状態、あるいは電界強度の大きさに応じて生成される。
【０１８８】
図２３を参照して、本変形例に係るサブ親機２３００の制御構造について説明する。図２３は、サブ親機２３００のサブ親機マイコン２２７が実行する処理の手順を表わすフローチャートである。なお、前述の各実施の形態（図６、図９）に示した処理と同一の処理には同一のステップ番号を付し、それらについての説明は繰り返さない。
【０１８９】
ステップＳ９０４にて、サブ親機マイコン１２２７は、入力信号に基づいて、無線通信システムが正常に作動しているか否かを判断する。システムが正常に作動している場合には（ステップＳ９０４にてＹＥＳ）、処理はステップＳ６０２に移される。そうでない場合には（ステップＳ９０４にてＮＯ）、処理はステップＳ２３２６に移される。
【０１９０】
ステップＳ６０４にて、サブ親機マイコン１２２７は、その電界強度に基づいて、親機２２００とサブ親機２３００とが通信状態であるか否かを判断する。親機２２００とサブ親機２３００とが通信状態である場合には（ステップＳ６０４にてＹＥＳ）、処理はステップＳ６１２に移される。そうでない場合には（ステップＳ６０４にてＮＯ）、処理はステップＳ２３２０に移される。
【０１９１】
ステップＳ２３１４にて、サブ親機マイコン１２２７は、黄色ＬＥＤ８２０の点灯を指令する。これにより、指令信号がサブ親機マイコン１２２７から黄色ＬＥＤ８２０に送信され、黄色ＬＥＤ８２０は点灯する。ステップＳ２３２０にて、サブ親機マイコン１２２７は、緑色ＬＥＤ８３０の点灯を指令する。これにより、指令信号がサブ親機マイコン１２２７から緑色ＬＥＤ８３０に送信され、緑色ＬＥＤ８３０は点灯する。ステップＳ２３２４にて、サブ親機マイコン１２２７は、赤色ＬＥＤ８１０の点灯を指令する。これにより、指令信号がサブ親機マイコン１２２７から緑色ＬＥＤ８３０に送信され、緑色ＬＥＤ８３０は点灯する。
【０１９２】
ステップＳ２３２６にて、サブ親機マイコン１２２７は、ＬＥＤの消灯を指令する。これにより、各ＬＥＤに出力されていた点灯のための指令信号の出力が停止され、いずれかのＬＥＤが点灯していた場合には、そのＬＥＤは消灯する。
【０１９３】
以上のような構造およびフローチャートに基づく、本変形例に係る無線通信システムの動作について説明する。なお、前述の各実施の形態における動作と同じ動作の説明は、ここでは繰り返さない。
【０１９４】
［親機とサブ親機とが通信状態にある場合］
無線通信システムが正常に作動しているとき（ステップＳ９０４にてＹＥＳ）、電界強度およびビット誤り率が検出される（ステップＳ６０２，Ｓ２０１０）。親機２２００とサブ親機２３００とが正常な通信状態であるとき（ステップＳ６０４にてＹＥＳ）、電界強度が閾値Ａ以下である場合には（ステップＳ６１２にてＹＥＳ）、量子化テーブルＴ（１）が選択され（ステップＳ２０２０）、そのテーブルの圧縮率に基づいて画像データが伸張される。このとき、サブ親機２３００の黄色ＬＥＤ８２０が点灯するため（ステップＳ２３１４）、利用者は、電界強度が予め定められた閾値Ａよりも小さいことを認識することができる。
【０１９５】
サブ親機２３００において、電界強度は閾値Ｂよりも小さいため（ステップＳ６１６にてＮＯ）、ビット誤り率と閾値Ｘとが比較される。検出されたビット誤り率が閾値Ｘよりも小さい場合には（ステップＳ２０７０にてＮＯ）、サブ親機２３００における信号の受信状態を通知する情報が親機２２００に送信される（ステップＳ２０８０）。
【０１９６】
その後、電界強度およびビット誤り率が再び検出され（ステップＳ６０２，Ｓ２０１０）、親機２２００とサブ親機２３００との間の通信が殆どできない場合には（ステップＳ６０４にてＮＯ）、サブ親機２３００の赤色ＬＥＤ８１０が点灯する（ステップＳ２３２４）。
【０１９７】
以上のようにして、本変形例に係る無線通信システムによると、サブ親機２３００の各色のＬＥＤは、親機２２００とサブ親機２３００との間の通信状態に応じて発光する。したがって、予め通信状態の各々と、ＬＥＤの発光色とを対応付けておくことにより、利用者は、その発光色に基づいて無線通信システムの作動状態を容易に認識することができる。その結果、たとえば、利用者はサブ親機２３００と親機２２００との間の通信環境が悪化したことを容易に認識することができるため、サブ親機２３００の設置場所を変更したり、無線通信システム以外の電子機器の使用を控えるなど必要な措置をとりやすくなる。
【０１９８】
＜第２の実施の形態  第２の変形例＞
以下、本実施の形態の第２の変形例について説明する。本変形例に係る無線通信システムは、そのシステムの親機２４００が、テスト画像データをサブ親機に送信する機能を有する点で、前述の各実施の形態と異なる。
【０１９９】
図２４を参照して、本変形例に係る無線通信システムについて説明する。図２４は、本変形例に係る無線通信システムの構成を表わすブロック図である。なお、前述の各実施の形態に係る無線通信システムにおける構成要素と同一のものには、同一の符号を付してある。それらの機能も同じである。したがって、それらについての詳細な説明は、ここでは繰り返さない。
【０２００】
図２４は、本変形例に係る無線通信システムの構成を表わすブロック図である。親機２４００は、図１７に示した親機１７００の構成に加えて、テスト画像データを記録するメモリ２４１０を有する。メモリ２４１０は、テスト画像データを予め格納している。メモリ２４１０におけるデータ構造は、後述する。親機マイコン１１１１は、そのテスト画像データを読み出してサブ親機１８００に送信する。この親機マイコン１１１１の制御構造については、後述する。
【０２０１】
図２５を参照して、本変形例に係る親機２４００におけるデータ構造について説明する。図２５は、親機２４００のメモリ２４１０におけるテスト画像データの格納の一態様を表わす図である。第１のテスト画像データは、データ領域Ｄ２５００に格納される。第２のテスト画像データは、データ領域Ｄ２５１０に格納される。なお、メモリ２４１０に格納されるテスト画像データの数およびデータ形式は、特に限られない。
【０２０２】
図２６を参照して、本変形例に係る親機２４００の制御構造について説明する。図２６は、親機２４００の親機マイコン１１１１が実行する処理の手順を表わすフローチャートである。この処理は、予め定められた条件が成立したときに実行される。この条件には、たとえば所定の時刻になったとき、利用者が通信状況の確認の指示をボタン（図示しない）を介して入力した場合等が含まれる。
【０２０３】
ステップＳ２６０２にて、親機マイコン１１１１は、メモリ２４１０からテスト画像データを読み出す。ステップＳ２６０４にて、親機マイコン１１１１は、サブ親機１８００にテスト画像データを送信する。
【０２０４】
図２７を参照して、本変形例に係るサブ親機１８００の制御構造について説明する。図２７は、サブ親機１８００のサブ親機マイコン１２２７が実行する処理の手順を表わすフローチャートである。サブ親機１８００が待機状態であるときに、親機２４００からテスト画像データを含む信号を受信した場合、この処理は実行される。なお、図１４に示した実施の形態における処理と同一の処理には、同一のステップ番号を付し、それらについての説明は繰り返さない。
【０２０５】
ステップＳ２７０２にて、サブ親機マイコン１２２７は、親機２４００からテスト画像データを受信する。ステップＳ２７０４にて、サブ親機マイコン１２２７は、そのデータを受信したときの信号に基づいて、電界強度を検出する。
【０２０６】
以上のような構造およびフローチャートに基づく、本変形例に係る無線通信システムの動作について説明する。なお、前述の各無線通信システムの動作と同じ動作の説明は、繰り返さない。
【０２０７】
親機２４００において予め定められた時刻になると、親機マイコン１１１１はメモリ２４１０からテスト画像データを読み出して（ステップＳ２６０２）、サブ親機１８００に送信する（ステップＳ２６０４）。サブ親機マイコン１２２７がそのデータを受信すると（ステップＳ２７０２）、サブ親機マイコン１２２７は、サブ親機電界強度検出部２３４を介して、電界強度を検出する（ステップＳ２７０４）。サブ親機マイコン１２２７は、検出結果に応じてフィルタ処理を制御し（ステップＳ１４０６）、テスト画像データの通信状況を通知するための信号を生成し（ステップＳ１４０８）、そしてサブ親機表示部２３８にその信号を出力する（ステップＳ１４１０）。その結果、サブ親機表示部２３８は、テスト画像データの受信状況に応じて点灯したり、あるいは消灯する。
【０２０８】
以上のようにして、本変形例に係る無線通信システムによると、通信システム設置時や通常の使用時において、利用者は、通信システムの通信環境を確認することできる。また、このような通信状況が報知されるため、利用者は、その状況に応じて、所望の通信状態になるようにサブ親機の設置場所を変更することができる。これにより、良好な通信状態を維持することができる無線通信システムを提供することができる。
【０２０９】
なお、詳述した各実施の形態に係る無線通信システムにおいては、親機およびサブ親機の少なくともいずれかが上記の構造、データ構造および制御構造を有するものであってもよいし、いずれもが上記の各構造を有するものであってもよい。すなわち、少なくともいずれかが上記の各構造を有すれば、利用者は、無線通信システムにおける通信環境を容易に確認することができるため、必要に応じて通信環境を改善することができる。
【０２１０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０２１１】
【図１】本発明の第１の実施の形態に係る無線通信システムの構成を表わすブロック図である。
【図２】図１に示した無線通信システムにおけるフィルタ処理の特性を説明するための図である。
【図３】図１に示した親機におけるデータの格納の一態様を表わす図である。
【図４】図１に示したサブ親機におけるデータの格納の一態様を表わす図である。
【図５】図１に示した親機が実行する処理の手順を表わすフローチャートである。
【図６】図１に示したサブ親機が実行する処理の手順を表わすフローチャートである。
【図７】本発明の第１の実施の形態の第１の変形例に係る無線通信システムの構成を表わすブロック図である。
【図８】図７に示した親機が実行する処理の手順を表わすフローチャートである。
【図９】図７に示したサブ親機が実行する処理の手順を表わすフローチャートである。
【図１０】本発明の第１の実施の形態の第２の変形例に係る無線通信システムの構成を表わすブロック図である。
【図１１】図１０に示した親機におけるテスト音声データの格納の一態様を表わす図である。
【図１２】図１０に示したサブ親機におけるテスト音声データの格納の態様を表わす図である。
【図１３】図１０に示した親機が実行する処理の手順を表わすフローチャートである。
【図１４】図１０に示したサブ親機が実行する処理の手順を表わすフローチャート（その１）である。
【図１５】図１０に示したサブ親機が実行する処理の手順を表わすフローチャート（その２）である。
【図１６】図１０に示した親機が実行する処理の手順を表わすフローチャート（その２）である。
【図１７】本発明の第２の実施の形態に係る無線通信システムの構成を表わすブロック図である。
【図１８】図１７に示した親機におけるデータ構造を説明するための図である。
【図１９】図１７に示したサブ親機におけるデータ構造を説明するための図である。
【図２０】図１７に示したサブ親機が実行する処理の手順を表わすフローチャートである。
【図２１】図１７に示した親機が実行する処理の手順を表わすフローチャートである。
【図２２】本発明の第２の実施の形態の第１の変形例に係る無線通信システムの構成を表わすブロック図である。
【図２３】図２２に示したサブ親機が実行する処理の手順を表わすフローチャートである。
【図２４】本発明の第２の実施の形態の第２の変形例に係る無線通信システムの構成を表わすブロック図である。
【図２５】図２４に示した親機におけるテスト画像データの格納の一態様を表わす図である。
【図２６】図２４に示した親機が実行する処理の手順を表わすフローチャートである。
【図２７】図２４に示したサブ親機が実行する処理の手順を表わすフローチャートである。
【符号の説明】
【０２１２】
１００，７００，１０００，１７００，２２００，２４００  親機、１０３  親機マイク、１０４  親機スピーカ、１０５  親機音声入力セレクタ、１０６  親機音声出力セレクタ、１０７  親機Ａ／Ｄ変換部、１０８  親機Ｄ／Ａ変換部、１０９  親機音声圧縮部、１１０  親機音声伸張部、１１１，１１１１  親機マイコン、１１２  親機フィルタ選択部、１１３  親機送信用信号処理部、１１４  親機受信用信号処理部、１１５  親機送信部、１１６  親機受信部、１１７  親機送受信切換スイッチ、１１８  親機電界強度検出部、１１９  親機アンテナ、１２０，１１２０  親機無線制御部、１３０，１１４４  メモリ、１３７  親機表示部、１５０，６００  子機、１５３  子機マイク、１５４  子機送信用信号処理部、１５５  子機受信用信号処理部、１５６  子機スピーカ、２００，８００，１１００，１８００，２３００  サブ親機、２２１  サブ親機マイク、２２２  サブ親機スピーカ、２２３  サブ親機Ａ／Ｄ変換部、２２４  サブ親機Ｄ／Ａ変換部、２２５  サブ親機音声圧縮部、２２６  サブ親機音声伸張部、２２７，１２２７  サブ親機マイコン、２２８  サブ親機フィルタ選択部、２２９  サブ親機送信用信号処理部、２３０  サブ親機受信用信号処理部、２３１  サブ親機送信部、２３２  サブ親機受信部、２３３  サブ親機送受信切換スイッチ、２３４  サブ親機電界強度検出部、２３５  サブ親機アンテナ、２３６，１２３６  サブ親機無線制御部、６１０  カメラ、６２０  子機画像信号処理部、７１０，８１０  赤色ＬＥＤ、７２０，８２０  黄色ＬＥＤ、７３０，８３０  緑色ＬＥＤ、１１３０，１２４０  内部メモリ、１１４２  親機ビデオデコーダ、１１４３  親機画像圧縮部、１１４５  親機画像圧縮方法選択部、１１５２  親機エラー情報検出部、１１６０  親機モニタ、１２６０  サブ親機モニタ、１２５５  サブ親機画像伸張部、１２５７  サブ親機画像伸張方法選択部、１２６５  サブ親機ビット誤り率検出部。
【図１】
2005236849.tif 000003
【図２】
2005236849.tif 000004
【図３】
2005236849.tif 000005
【図４】
2005236849.tif 000006
【図５】
2005236849.tif 000007
【図６】
2005236849.tif 000008
【図７】
2005236849.tif 000009
【図８】
2005236849.tif 000010
【図９】
2005236849.tif 000011
【図１０】
2005236849.tif 000012
【図１１】
2005236849.tif 000013
【図１２】
2005236849.tif 000014
【図１３】
2005236849.tif 000015
【図１４】
2005236849.tif 000016
【図１５】
2005236849.tif 000017
【図１６】
2005236849.tif 000018
【図１７】
2005236849.tif 000019
【図１８】
2005236849.tif 000020
【図１９】
2005236849.tif 000021
【図２０】
2005236849.tif 000022
【図２１】
2005236849.tif 000023
【図２２】
2005236849.tif 000024
【図２３】
2005236849.tif 000025
【図２４】
2005236849.tif 000026
【図２５】
2005236849.tif 000027
【図２６】
2005236849.tif 000028
【図２７】
2005236849.tif 000029